(57)【要約】  いくつかの実施形態によれば、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施する、無線デバイスにおける方法であって、ｆ１およびｆ２のうちの少なくとも１つがフレキシブルフレーム構造の下で動作している、方法が、周波数内無線測定に関連する時間リソースの第１のセットを取得することと、周波数間無線測定に関連する時間リソースの第２のセットを取得することと、時間リソースの第１のセットと時間リソースの第２のセットとの間の重複量に基づいて、周波数内測定に対する周波数間測定の優先度を決定することと、決定された優先度を使用して周波数内測定および周波数間測定のうちの少なくとも１つを実施することとを含む。【選択図】図４
2020502888.tif 000002
【特許請求の範囲】
【請求項１】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施する、無線デバイスにおける方法であって、ｆ１およびｆ２のうちの少なくとも１つがフレキシブルフレーム構造の下で動作しており、前記方法が、
前記周波数内無線測定に関連する時間リソースの前記第１のセットを取得すること（４１４）と、
前記周波数間無線測定に関連する時間リソースの前記第２のセットを取得すること（４１６）と、
時間リソースの前記第１のセットと時間リソースの前記第２のセットとの間の重複量に基づいて、前記周波数内測定に対する前記周波数間測定の優先度を決定すること（４１８）と、
前記決定された優先度を使用して前記周波数内測定および前記周波数間測定のうちの少なくとも１つを実施すること（４２０）と
を含む、方法。
【請求項２】
前記周波数内測定および前記周波数間測定のうちの少なくとも１つの結果を、別の無線デバイスまたはネットワークノードに送ること（４２２）をさらに含む、請求項１に記載の方法。
【請求項３】
前記無線デバイスが前記周波数間無線測定を実施するために測定ギャップを使用するかどうかを別の無線デバイスまたはネットワークノードに指示すること（４１２）をさらに含む、請求項１または２に記載の方法。
【請求項４】
時間リソースの前記第２のセットが測定ギャップを含む、請求項１から３のいずれか一項に記載の方法。
【請求項５】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連する、請求項１から４のいずれか一項に記載の方法。
【請求項６】
前記優先度を決定すること（４１８）は、前記重複量がしきい値を下回るとき、第１の優先度を決定することと、前記重複量が前記しきい値に等しいかまたはそれよりも大きいとき、第２の優先度を決定することとを含む、請求項１から５のいずれか一項に記載の方法。
【請求項７】
前記優先度を決定すること（４１８）は、時間リソースの前記第１のセットと時間リソースの前記第２のセットとの間の重複がないとき、前記周波数内測定および前記周波数間測定のうちの少なくとも１つを実施するための時間量を決定するために第１の機能を使用することと、時間リソースの前記第２のセットが時間リソースの前記第１のセットと少なくとも部分的に重複するとき、前記時間量を決定するために第２の機能を使用することとを含む、請求項１から５のいずれか一項に記載の方法。
【請求項８】
前記優先度を決定すること（４１８）は、時間リソースの前記第２のセットが時間リソースの前記第１のセットと完全に重複するとき、前記時間量を決定するために第３の機能を使用することを含む、請求項７に記載の方法。
【請求項９】
前記周波数間測定の前記決定された優先度が前記周波数内測定の優先度よりも低い、請求項１から８のいずれか一項に記載の方法。
【請求項１０】
前記決定された優先度を使用して前記周波数内測定および前記周波数間測定のうちの少なくとも１つを実施すること（４２０）が、重複する時間リソースにおける前記より優先度の低い測定を実施しないことを含む、請求項１から９のいずれか一項に記載の方法。
【請求項１１】
前記決定された優先度を使用して前記周波数内測定および前記周波数間測定のうちの少なくとも１つを実施すること（４２０）が、前記周波数内測定および前記周波数間測定のうちの少なくとも１つを実施するための時間量をスケーリングすることを含む、請求項１から９のいずれか一項に記載の方法。
【請求項１２】
前記時間量をスケーリングすることが、前記より優先度の低い測定を実施するための時間量を延長することを含む、請求項１１に記載の方法。
【請求項１３】
前記時間量をスケーリングすることが、時間リソースの前記第１のセットと時間リソースの前記第２のセットとの間の前記重複量に応じて異なるスケーリングファクタを用いてスケーリングすることを含む、請求項１１に記載の方法。
【請求項１４】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項１１に記載の方法。
【請求項１５】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項１に記載の方法。
【請求項１６】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能な無線デバイス（１１０）であって、ｆ１およびｆ２のうちの少なくとも１つがフレキシブルフレーム構造の下で動作しており、前記無線デバイスが、
前記周波数内無線測定に関連する時間リソースの前記第１のセットを取得することと、
前記周波数間無線測定に関連する時間リソースの前記第２のセットを取得することと、
時間リソースの前記第１のセットと時間リソースの前記第２のセットとの間の重複量に基づいて、前記周波数内測定に対する前記周波数間測定の優先度を決定することと、
前記決定された優先度を使用して前記周波数内測定および前記周波数間測定のうちの少なくとも１つを実施することと
を行うように動作可能な処理回路（６２０）を備える、無線デバイス（１１０）。
【請求項１７】
前記処理回路が、前記周波数内測定および前記周波数間測定のうちの少なくとも１つの結果を、別の無線デバイス（１１０）またはネットワークノード（１２０）に送るようにさらに動作可能である、請求項１６に記載の無線デバイス。
【請求項１８】
前記処理回路は、前記無線デバイスが前記周波数間無線測定を実施するために測定ギャップを使用するかどうかを別の無線デバイス（１１０）またはネットワークノード（１２０）に指示するようにさらに動作可能である、請求項１６または１７に記載の無線デバイス。
【請求項１９】
時間リソースの前記第２のセットが測定ギャップを含む、請求項１６から１８のいずれか一項に記載の無線デバイス。
【請求項２０】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連する、請求項１６から１９のいずれか一項に記載の無線デバイス。
【請求項２１】
前記処理回路は、前記重複量がしきい値を下回るとき、第１の優先度を決定することと、前記重複量が前記しきい値に等しいかまたはそれよりも大きいとき、第２の優先度を決定することとによって前記優先度を決定するように動作可能である、請求項１６から２０のいずれか一項に記載の無線デバイス。
【請求項２２】
前記処理回路は、時間リソースの前記第１のセットと時間リソースの前記第２のセットとの間の重複がないとき、前記周波数内測定および前記周波数間測定のうちの少なくとも１つを実施するための時間量を決定するために第１の機能を使用することと、時間リソースの前記第２のセットが時間リソースの前記第１のセットと少なくとも部分的に重複するとき、前記時間量を決定するために第２の機能を使用することとによって前記優先度を決定するように動作可能である、請求項１６から２０のいずれか一項に記載の無線デバイス。
【請求項２３】
前記処理回路は、時間リソースの前記第２のセットが時間リソースの前記第１のセットと完全に重複するとき、前記時間量を決定するために第３の機能を使用することによって前記優先度を決定するように動作可能である、請求項２２に記載の無線デバイス。
【請求項２４】
前記周波数間測定の前記決定された優先度が前記周波数内測定の優先度よりも低い、請求項１６から２３のいずれか一項に記載の無線デバイス。
【請求項２５】
前記処理回路が、重複する時間リソースにおける前記より優先度の低い測定を実施しないことによって、前記決定された優先度を使用して前記周波数内測定および前記周波数間測定のうちの少なくとも１つを実施するように動作可能である、請求項１６から２４のいずれか一項に記載の無線デバイス。
【請求項２６】
前記処理回路が、前記周波数内測定および前記周波数間測定のうちの少なくとも１つを実施するための時間量をスケーリングすることによって、前記決定された優先度を使用して前記周波数内測定および前記周波数間測定のうちの少なくとも１つを実施するように動作可能である、請求項１６から２５のいずれか一項に記載の無線デバイス。
【請求項２７】
前記時間量をスケーリングすることが、前記より優先度の低い測定を実施するための時間量を延長することを含む、請求項２６に記載の無線デバイス。
【請求項２８】
前記時間量をスケーリングすることが、時間リソースの前記第１のセットと時間リソースの前記第２のセットとの間の前記重複量に応じて異なるスケーリングファクタを用いてスケーリングすることを含む、請求項２６に記載の無線デバイス。
【請求項２９】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項２６に記載の無線デバイス。
【請求項３０】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項１６に記載の無線デバイス。
【請求項３１】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能なネットワークノードにおける方法であって、ｆ１およびｆ２のうちの少なくとも１つがフレキシブルフレーム構造の下で動作しており、前記方法が、
時間リソースの前記第１のセットと時間リソースの前記第２のセットとの間の重複量に基づいて、前記周波数内測定に対する前記周波数間測定の優先度を決定すること（５１４）と、
前記決定された優先度を使用して測定設定を実施すること（５１６）と
を含む、方法。
【請求項３２】
測定ギャップを用いてまたは用いずに前記周波数間無線測定を実施する前記無線デバイスの能力を取得すること（５１２）をさらに含む、請求項３１に記載の方法。
【請求項３３】
前記優先度を決定すること（５１４）は、前記重複量がしきい値を下回るとき、第１の優先度を決定することと、前記重複量が前記しきい値に等しいかまたはそれよりも大きいとき、第２の優先度を決定することとを含む、請求項３１または３２に記載の方法。
【請求項３４】
前記優先度を決定すること（５１４）は、時間リソースの前記第１のセットと時間リソースの前記第２のセットとの間の重複がないとき、前記周波数内測定および前記周波数間測定のうちの少なくとも１つを実施するための時間量を決定するために第１の機能を使用することと、時間リソースの前記第２のセットが時間リソースの前記第１のセットと少なくとも部分的に重複するとき、前記時間量を決定するために第２の機能を使用することとを含む、請求項３１または３２に記載の方法。
【請求項３５】
前記優先度を決定すること（５１４）は、時間リソースの前記第２のセットが時間リソースの前記第１のセットと完全に重複するとき、前記時間量を決定するために第３の機能を使用することを含む、請求項３４に記載の方法。
【請求項３６】
前記周波数間測定の前記決定された優先度が前記周波数内測定の優先度よりも低い、請求項３１から３５のいずれか一項に記載の方法。
【請求項３７】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連し、
前記測定設定を実施すること（５１６）が、前記決定された優先度に基づいて前記ＤＭＴＣまたは前記ＲＭＴＣのうちの少なくとも１つを適応させることを含む、請求項３１から３６のいずれか一項に記載の方法。
【請求項３８】
前記測定設定を実施すること（５１６）が、前記周波数内測定および前記周波数間測定のうちの少なくとも１つを実施するための時間量をスケーリングすることを含む、請求項３１から３７のいずれか一項に記載の方法。
【請求項３９】
前記時間量をスケーリングすることが、前記より優先度の低い測定を実施するための時間量を延長することを含む、請求項３８に記載の方法。
【請求項４０】
前記時間量をスケーリングすることが、時間リソースの前記第１のセットと時間リソースの前記第２のセットとの間の前記重複量に応じて異なるスケーリングファクタを用いてスケーリングすることを含む、請求項３８に記載の方法。
【請求項４１】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項３８に記載の方法。
【請求項４２】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項３１に記載の方法。
【請求項４３】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイス（１１０）とともにネットワークにおいて動作することが可能なネットワークノード（１２０）であって、ｆ１およびｆ２のうちの少なくとも１つがフレキシブルフレーム構造の下で動作しており、前記ネットワークノードが、
時間リソースの前記第１のセットと時間リソースの前記第２のセットとの間の重複量に基づいて、前記周波数内測定に対する前記周波数間測定の優先度を決定することと、
前記決定された優先度を使用して測定設定を実施することと
を行うように動作可能な処理回路（７２０）を備える、ネットワークノード（１２０）。
【請求項４４】
前記処理回路が、測定ギャップを用いてまたは用いずに前記周波数間無線測定を実施する前記無線デバイスの能力を取得するようにさらに動作可能である、請求項４３に記載のネットワークノード。
【請求項４５】
前記処理回路は、前記重複量がしきい値を下回るとき、第１の優先度を決定することと、前記重複量が前記しきい値に等しいかまたはそれよりも大きいとき、第２の優先度を決定することとによって前記優先度を決定するように動作可能である、請求項４３または４４に記載のネットワークノード。
【請求項４６】
前記処理回路は、時間リソースの前記第１のセットと時間リソースの前記第２のセットとの間の重複がないとき、前記周波数内測定および前記周波数間測定のうちの少なくとも１つを実施するための時間量を決定するために第１の機能を使用することと、時間リソースの前記第２のセットが時間リソースの前記第１のセットと少なくとも部分的に重複するとき、前記時間量を決定するために第２の機能を使用することとによって前記優先度を決定するように動作可能である、請求項４３または４４に記載のネットワークノード。
【請求項４７】
前記処理回路は、時間リソースの前記第２のセットが時間リソースの前記第１のセットと完全に重複するとき、前記時間量を決定するために第３の機能を使用することによって前記優先度を決定するように動作可能である、請求項４６に記載のネットワークノード。
【請求項４８】
前記周波数間測定の前記決定された優先度が前記周波数内測定の優先度よりも低い、請求項４３から４７のいずれか一項に記載のネットワークノード。
【請求項４９】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連し、
前記処理回路が、前記決定された優先度に基づいて前記ＤＭＴＣまたは前記ＲＭＴＣのうちの少なくとも１つを適応させることによって前記測定設定を実施するように動作可能である、請求項４３から４８のいずれか一項に記載のネットワークノード。
【請求項５０】
前記処理回路が、前記周波数内測定および前記周波数間測定のうちの少なくとも１つを実施するための時間量をスケーリングすることによって前記測定設定を実施するように動作可能である、請求項４３から４９のいずれか一項に記載のネットワークノード。
【請求項５１】
前記時間量をスケーリングすることが、前記より優先度の低い測定を実施するための時間量を延長することを含む、請求項５０に記載のネットワークノード。
【請求項５２】
前記時間量をスケーリングすることが、時間リソースの前記第１のセットと時間リソースの前記第２のセットとの間の前記重複量に応じて異なるスケーリングファクタを用いてスケーリングすることを含む、請求項５０に記載のネットワークノード。
【請求項５３】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項５０に記載のネットワークノード。
【請求項５４】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項４３に記載のネットワークノード。
【請求項５５】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能な無線デバイス（１１０）であって、ｆ１およびｆ２のうちの少なくとも１つがフレキシブルフレーム構造の下で動作しており、前記無線デバイスが、取得モジュール（６５２）と、決定モジュール（６５４）と、測定モジュール（６５６）とを備え、
前記取得モジュールが、
前記周波数内無線測定に関連する時間リソースの前記第１のセットを取得することと、
前記周波数間無線測定に関連する時間リソースの前記第２のセットを取得することと
を行うように動作可能であり、
前記決定モジュールが、時間リソースの前記第１のセットと時間リソースの前記第２のセットとの間の重複量に基づいて、前記周波数内測定に対する前記周波数間測定の優先度を決定するように動作可能であり、
前記測定モジュールが、前記決定された優先度を使用して前記周波数内測定および前記周波数間測定のうちの少なくとも１つを実施するように動作可能である、無線デバイス（１１０）。
【請求項５６】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイス（１１０）とともにネットワークにおいて動作することが可能なネットワークノード（１２０）であって、ｆ１およびｆ２のうちの少なくとも１つがフレキシブルフレーム構造の下で動作しており、前記ネットワークノードが、決定モジュール（７５０）と、設定モジュール（７５４）とを備え、
前記決定モジュールが、時間リソースの前記第１のセットと時間リソースの前記第２のセットとの間の重複量に基づいて、前記周波数内測定に対する前記周波数間測定の優先度を決定するように動作可能であり、
前記設定モジュールが、前記決定された優先度を使用して測定設定を実施するように動作可能である、ネットワークノード（１２０）。
【発明の詳細な説明】
【技術分野】
【０００１】
本開示のいくつかの実施形態は、一般に、無線通信に関し、より詳細には、フレーム構造タイプ３（ＦＳ３）を使用するセカンダリセル（ＳＣｅｌｌ）上での周波数間測定を伴って設定されたときのユーザ機器（ＵＥ）動作を制御することに関する。
【背景技術】
【０００２】
序論
第３世代パートナーシッププロジェクト（３ＧＰＰ）Ｌｏｎｇ  Ｔｅｒｍ  Ｅｖｏｌｕｔｉｏｎ（ＬＴＥ）は、マルチキャリア動作を含む。マルチキャリアまたはキャリアアグリゲーション（ＣＡ）動作では、ユーザ機器（ＵＥ）は、データを受信し、および／または、データを２つ以上のサービングセルに送信することができる。言い換えれば、ＣＡ対応ＵＥは、２つ以上のサービングセルとともに動作するように設定され得る。各サービングセルのキャリアは、一般に、コンポーネントキャリア（ＣＣ）と呼ばれる。コンポーネントキャリア（ＣＣ）は、マルチキャリアシステム中の個々のキャリアを指す。
【０００３】
キャリアアグリゲーション（ＣＡ）という用語は、「マルチキャリアシステム」、「マルチセル動作」、「マルチキャリア動作」、「マルチキャリア」送信および／または受信と呼ばれることもある。ＣＡは、アップリンク方向およびダウンリンク方向でのシグナリングおよびデータの送信のために使用される。ＣＣのうちの１つは、（プライマリキャリアまたはアンカーキャリアとも呼ばれる）プライマリコンポーネントキャリア（ＰＣＣ）である。残りのコンポーネントキャリアは、（セカンダリキャリアまたは補助キャリアとも呼ばれる）セカンダリコンポーネントキャリア（ＳＣＣ）と呼ばれる。サービングセルは、プライマリセル（ＰＣｅｌｌ）またはプライマリサービングセル（ＰＳＣ）と互換的に呼ばれる。同様に、セカンダリサービングセルは、セカンダリセル（ＳＣｅｌｌ）またはセカンダリサービングセル（ＳＳＣ）と互換的に呼ばれる。
【０００４】
概して、プライマリＣＣまたはアンカーＣＣは、ＵＥ固有シグナリングを搬送する。プライマリＣＣ（すなわち、ＰＣＣまたはＰＣｅｌｌ）は、ＣＡにおいてアップリンク方向とダウンリンク方向の両方で存在する。単一のアップリンクＣＣがあるとき、ＰＣｅｌｌはそのＣＣ上にある。ネットワークは、異なるプライマリキャリアを同じセクタまたはセルにおいて動作する異なるＵＥに割り当て得る。
【０００５】
デュアルコネクティビティ（ＤＣ）動作では、マスタｅＮＢ（ＭｅＮＢ）およびセカンダリｅＮＢ（ＳｅＮＢ）と呼ばれる、少なくとも２つのノードが、ＵＥをサーブし得る。より一般的には、（マルチコネクティビティとも呼ばれる）マルチプルコネクティビティ動作では、２つまたはそれ以上のノード（たとえば、ＭｅＮＢ、ＳｅＮＢ１、ＳｅＮＢ２など）が、ＵＥをサーブし得る。ＭｅＮＢとＳｅＮＢの両方は、ＵＥにＰＣＣを設定する。ＭｅＮＢからのＰＣｅｌｌおよびＳｅＮＢからのＰＣｅｌｌは、それぞれ、ＰＣｅｌｌおよびＰＳＣｅｌｌと呼ばれる。ＰＣｅｌｌおよびＰＳＣｅｌｌは、一般に、独立してＵＥとともに動作する。
【０００６】
ＵＥにはまた、ＭｅＮＢおよびＳｅＮＢの各々からの１つまたは複数のＳＣＣが設定される。ＭｅＮＢおよびＳｅＮＢによってサーブされる対応するセカンダリサービングセルは、ＳＣｅｌｌと呼ばれる。ＤＣにおけるＵＥは、一般に、ＭｅＮＢとの接続およびＳｅＮＢとの接続の各々のための別個のＴＸ／ＲＸを有する。したがって、ＭｅＮＢおよびＳｅＮＢは、それぞれ、それらのＰＣｅｌｌおよびＰＳＣｅｌｌ上での１つまたは複数のプロシージャ（たとえば、無線リンク監視（ＲＬＭ）、ＤＲＸサイクルなど）を伴ってＵＥを独立して設定し得る。
【０００７】
マルチキャリアシステムは、ライセンス済みスペクトルおよび／または未ライセンススペクトルにおけるキャリアを含み得る。
【０００８】
ＬＴＥ  ＵＥは、測定ギャップを使用して周波数間測定を実施し得る。ＬＴＥにおける周波数間測定は、周期周波数間測定ギャップ中に行われ、周期周波数間測定ギャップは、各ギャップが、以下の条件、すなわち、Ｔ＝ＭＧＲＰ／１０の場合、ＳＦＮ  ｍｏｄ  Ｔ＝ＦＬＯＯＲ（ｇａｐＯｆｆｓｅｔ／１０）、サブフレーム＝ｇａｐＯｆｆｓｅｔ  ｍｏｄ  １０を満たすシステムフレーム番号（ＳＦＮ）およびサブフレームにおいて開始するように設定される。ＭＧＲＰは、「測定ギャップ反復期間」の略である。
【０００９】
Ｅ−ＵＴＲＡＮは、すべての周波数レイヤおよび無線アクセス技術（ＲＡＴ）の同時監視のために、一定のギャップ持続時間をもつ単一の測定ギャップパターンを与える。２つの設定が、ＵＥによってサポートされ、４０ｍｓおよび８０ｍｓのＭＧＲＰをもち、両方が６ｍｓの測定ギャップ長をもつ。実際には、切替え時間は、各そのような測定ギャップ内の測定のために、６つ未満の、ただし少なくとも５つの全サブフレームを残す。
【００１０】
ＬＴＥでは、測定ギャップは、他のＬＴＥ周波数および／または他のＲＡＴ上での測定を可能にするようにネットワークによって設定される。ギャップ設定は、測定設定の一部として無線リソース制御（ＲＲＣ）プロトコル上でＵＥにシグナリングされる。ギャップは、すべての周波数について共通である（すなわち、すべての周波数によって共有される）が、ＵＥは、各ギャップ内で一度に１つの周波数のみを測定することができる。
【００１１】
ＬＴＥ  Ｒｅｌ−１３において導入された、フレーム構造タイプ３（フレーム構造タイプ３は３ＧＰＰ  ＴＳ３６．２１１において明記されている）に基づく、ライセンス支援型アクセス（ＬＡＡ）、または動作は、ＷｉＦｉアクセスのためにも使用される、バンド４６など、未ライセンススペクトルにおける少なくとも１つのキャリア上のＵＥ動作を指す。たとえば、ＵＥには、バンド１（ライセンス済みスペクトル）におけるＰＣｅｌｌおよびバンド４６（未ライセンススペクトル）におけるＳＣｅｌｌとのキャリアアグリゲーションが設定され得る。未ライセンス帯域において動作するｅＮＢは、発見参照シンボル（ＤＲＳ：ｄｉｓｃｏｖｅｒｙ  ｒｅｆｅｒｅｎｃｅ  ｓｙｍｂｏｌ）を使用するＵＥ測定のために使用され得る信号のみを送信する。リリース８  ＣＲＳ（共通参照シンボル（ｃｏｍｍｏｎ  ｒｅｆｅｒｅｎｃｅ  ｓｙｍｂｏｌ））とは異なり、ＤＲＳは、あらゆるサブフレームにおいて送信されるのではなく、代わりに周期的に（たとえば、１６０ｍｓごとに）送信される。その上、ｅＮＢは、ｅＮＢがＤＲＳを送信する前に（別のｅＮＢまたはＷｉＦｉアクセスポイントなどの）他のノードが未ライセンススペクトルにおいて送信していないことを確認するために、リッスンビフォアトーク（ＬＢＴ）プロシージャを実施し得る。ＵＥ観点から、ｅＮＢは、特定のＤＲＳ送信を送信することができないことがある。いくつかの領域では、未ライセンス帯域上での異なる無線機およびアクセス技術のフェアな共存を保証するために、規制観点からＬＢＴ機能性（ｆｕｎｃｔｉｏｎａｌｉｔｙ）が必要とされる。
【００１２】
ＬＴＥ  Ｒｅｌ−１４は、上記で説明された未ライセンススペクトルにおけるダウンリンク動作に加えて、アップリンク動作を含む。ＵＥには、未ライセンススペクトルにおける１つまたは複数のＳＣｅｌｌ上のアップリンク送信が設定され、必要な場合アップリンクＬＢＴを実施し得る。
【００１３】
ＬＢＴプロシージャによれば、未ライセンススペクトルにおける送信機（たとえば、ダウンリンクの場合基地局、またはアップリンクの場合ユーザ端末）は、送信機が送信することを開始する前に、キャリア上でリッスンする必要がある。媒体が空いている場合、送信機は送信することができる（ＬＢＴ成功とも呼ばれる）。媒体が使用中である（たとえば、何らかの他のノードが送信している）場合、送信機は送信することができない（ＬＢＴ不成功または不可とも呼ばれる）。送信機は、後で再び試みることができる。
【００１４】
したがって、ＬＢＴプロシージャは、チャネルを使用する前のクリアチャネルアセスメント（ＣＣＡ）検査を可能にする。ＣＣＡに基づいて、チャネルがクリアであることがわかった場合、ＬＢＴは成功であると考えられる。しかし、チャネルが占有されていることがわかった場合、ＬＢＴは、ＬＢＴ失敗とも呼ばれる失敗であると考えられる。ＬＢＴ失敗は、ネットワークノードに、同じサブフレームおよび／または後続のサブフレームにおいて信号を送信しないように求める。送信が禁止される厳密なサブフレーム、またサブフレームの数は、ＬＢＴ方式の固有の設計に依存する。
【００１５】
ＬＢＴは、未ライセンス帯域における送信を、媒体が再び空きになるまで遅延させ得る。送信ノードがそれら自体の間で協調しないとき（これが通例のシナリオである）、遅延はランダムに現れ得る。
【００１６】
最も単純な形式では、ＬＢＴは、いくつかの時間単位に等しい期間（たとえば、１つの送信時間間隔（ＴＴＩ）、１つのタイムスロット、１つのサブフレームなど、１つの時間単位持続時間）を用いて周期的に実施される。ＬＢＴにおけるリスニングの持続時間は、一般に、数μ秒〜数十μ秒程度である。一般に、ＬＢＴ目的の場合、各ＬＴＥサブフレームは２つの部分に分割される。リスニングが第１の部分において行われ、第２の部分は、チャネルが空いていると検知された場合、データを搬送する。リスニングは、現在サブフレームの最初に行われ、データ送信が現在サブフレームおよび数個の連続サブフレームにおいて続くか否かを決定する。したがって、サブフレームＰ＋ｎまでのサブフレームＰにおけるデータ送信は、サブフレームＰの最初の間のリスニングの結果によって決定される。数ｎは、システム設計および／または規制要件に依存する。
【００１７】
図１は、ｌｏｎｇ  ｔｅｒｍ  ｅｖｏｌｕｔｉｏｎ（ＬＴＥ）における例示的なリッスンビフォアトーク（ＬＢＴ）プロシージャを示す。水平軸は時間を表す。プロシージャは、（すなわち、アップリンク送信を可能にするために）ＵＥによって実施されるＬＢＴプロシージャに関係する異なる段階の例示的なシーケンスを含み、ここで、「ｓ」は検知時間期間である。チャネルが使用中であると決定された場合、ある程度の延期時間の後に、ＵＥは、チャネルが利用可能であるかどうかを決定するためにチャネル上で検知することを再び試み得る。チャネルが利用可能である場合、ある程度のバックオフ時間の後に、ＵＥは、（ＵＥのチャネル占有時間中に）アップリンクバーストを送信することであって、ただし、領域に応じて、たとえば、最高１０ｍｓであり得る、最大チャネル占有時間（ＭＣＯＴ）未満の間、送信することを開始し得る。
【００１８】
３ＧＰＰ  ＴＳ３６．２１１によれば、ＦＳ３の下で動作されるキャリアについて、無線フレーム内のすべての１０個のサブフレームがダウンリンク送信のために利用可能である。しかしながら、いくつかのサブフレームは、（たとえば、制御チャネルなど、物理レイヤ制御シグナリングを介して）ＵＥアップリンク送信のために動的に指示され得る。
【００１９】
現在、測定期間（すなわち、１つまたは複数の測定を実施するために必要とされる時間）は、（１）測定のために使用されるダウンリンク送信が常に利用可能であるかのように、測定を完了するために必要とされる時間と、（２）測定されるが、ダウンリンクＬＢＴによりネットワークによって送信されないダウンリンクインスタンスの時間または数とにのみ依存する。しかしながら、（２）について、ＵＥは、依然として、ダウンリンク信号が利用可能であるかどうかを検出するためにある程度の労力を費やす必要がある。
【００２０】
ＬＡＡでは、測定は、１サブフレーム長であるＤＲＳオケージョンにおいて実施される。ＵＥがＤＲＳオケージョン中にダウンリンクにおいて受信することが可能でない場合、次の機会は、次のＤＲＳオケージョン（たとえば、４０ｍｓ後）のみにあり得る。これは、各無線フレームが常に少なくとも２つのダウンリンクサブフレームを含み、ダウンリンク信号が常に利用可能であるより決定論的な方式である時分割複信（ＴＤＤ）とは異なる。したがって、ＵＥは、周波数分割複信（ＦＤＤ）における測定時間要件と同じ測定時間要件をＴＤＤにおいて満たすことが可能である。
【００２１】
以下の周波数間測定、すなわち、（ａ）ＦＳ３セル上での周波数間ＣＲＳベース測定およびセル識別、（ｂ）（分散アンテナシステムおよび共有セルシナリオ−下記をさらに参照されたい−についての）ＦＳ３セル上での周波数間ＣＳＩ−ＲＳベース測定および送信ポイント（ＴＰ）識別、（ｃ）ＦＳ３キャリア上での周波数間ＲＳＳＩ測定、ならびに、（ｄ）ＦＳ３キャリア上でのチャネル占有測定は、現在、（たとえば、３６．２１４および３６．１３３において）ＬＡＡ／ｅＬＡＡについて明記されている。
【００２２】
以下のＣＡ測定、すなわち、（ａ）ＦＳ３の下で動作するアクティブＳＣｅｌｌをもつＳＣＣ上での測定、および（ｂ）ＦＳ３の下で動作するアクティブ化解除されたＳＣｅｌｌをもつＳＣＣ上での測定（これらの測定は、ＲＲＣを介してｅＮＢによってシグナリングされる、ＴＳ３６．３３１において規定されているパラメータｍｅａｓＣｙｃｌｅＳＣｅｌｌに基づいて実施される）は、ＬＡＡ／ｅＬＡＡについて明記されている。
【００２３】
いくつかのネットワークは、分散アンテナシステム（ＤＡＳ）を含む。一般に、ＤＡＳは、複数の空間的に分離されたアンテナノードが共通ソースに接続されるネットワークである。分散アンテナシステムは、屋内または屋外に展開され得る。本明細書では、ＤＡＳシステムは、たとえば、リモート無線ヘッド（ＲＲＨ）、リモートラジオユニット（ＲＲＵ）、さらには小さい基地局、またはより一般的には、共通ソースに接続された任意の送信ポイント（ＴＰ）などを使用する任意のシステムであり得る。共通ソースは、たとえば、基地局であり得る。本明細書では、ＤＡＳは、（複数のＴＰが同じ共有セルに属する）共有セル展開または協調マルチポイント（ＣｏＭＰ）展開もＤＡＳの特殊な場合であると考慮されるように、広義に理解される。さらなる一例では、共通ソースが、屋内に展開された複数のＴＰのために使用され、そのようなＴＰのうちの１つまたは複数によって各階がサーブされ得る複数階建築物のための無線信号送信を与えることができる。
【００２４】
共有セルは、複数の地理的に分離された送信ポイントがＵＥに対するそれらの送信を動的に協調させるタイプのダウンリンクＣｏＭＰである。共有セルの一意の特徴は、共有セル内のすべての送信ポイントが同じ物理セルＩＤ（ＰＣＩ）を有することである。したがって、ＵＥは、ＰＣＩ復号によってＴＰを区別することができない。ＰＣＩは、測定プロシージャ（たとえば、セル識別など）中に収集される。ＴＰは、１つまたは複数のアンテナポートを備え得る。ＴＰは、ＴＰ  ＩＤと呼ばれる一意の識別子によって一意に識別され得る。
【００２５】
共有セル手法は、（マクロポイントカバレッジエリア内の）すべてのポイント上で同じセル固有信号を分散させることによって実装され得る。そのようなストラテジーでは、プライマリ同期信号（ＰＳＳ）、セカンダリ同期信号（ＳＳＳ）、セル固有参照信号（ＣＲＳ：ｃｅｌｌ  ｓｐｅｃｉｆｉｃ  ｒｅｆｅｒｅｎｃｅ  ｓｉｇｎａｌ）、測位参照信号（ＰＲＳ：ｐｏｓｉｔｉｏｎｉｎｇ  ｒｅｆｅｒｅｎｃｅ  ｓｉｇｎａｌ）などの同じ物理信号と、物理ブロードキャストチャネル（ＰＢＣＨ）、ページングおよびシステム情報ブロック（ＳＩＢ）を含んでいる物理ダウンリンク共有チャネル（ＰＤＳＣＨ）、制御チャネル（ＰＤＣＣＨ、ＰＣＦＩＣＨ、ＰＨＩＣＨ）などの同じ物理チャネルとが、ダウンリンクにおいて各ＴＰから送信される。共有セル内のＴＰ間の送信タイミングに関して、緊密な同期が使用される（たとえば、ノードの任意のペア間で±１００ｎｓ程度）。これは、Ｍ個のポイントから送信された物理信号およびチャネルがオーバーエアで（ｏｖｅｒ  ａｉｒ）組み合わせられることを可能にする。組み合わせることは、ブロードキャストのために単一周波数ネットワーク（ＳＦＮ）において遭遇するものと同様である。
【００２６】
各ＴＰはまた、各ＴＰに一意であるＣＳＩ−ＲＳ信号を送信するように設定され得る。したがって、ＣＳＩ−ＲＳは、ＵＥが共有セル内のＴＰを一意に識別することを可能にする。ＵＥは、測定（たとえば、ＣＳＩ−ＲＳＲＰ）を実施するためにもＣＳＩ−ＲＳを使用し得、これは、ＵＥが共有セル内の最も強いＴＰを決定することを可能にする。
【００２７】
図２は、同じセルＩＤ（すなわち、物理セル識別子（ＰＣＩ））をすべてが共有する、１つのマクロノードといくつかのリモート無線ヘッド（ＲＲＨ）とをもつ例示的な共有セルである。マクロノード１２０は、３つのＲＲＨ１４０に通信可能に結合される。マクロノード１２０およびＲＲＨ１４０はすべて、無線デバイス１１０にセルｉｄ１を送信する。
【００２８】
これらの既存のソリューションに伴う問題は、周波数間ＬＡＡ測定を実施するために測定ギャップが設定されたＵＥが、現在明記されている要件を満たすことが可能でないことがあることである。たとえば、ＵＥは、測定ギャップがＳＣＣ（サービングセルまたはネイバーセル）上のＤＭＴＣオケージョンと重複するとき、これらの周波数間測定のための明記された要件および／またはＳＣＣ上で実施されるＬＡＡ測定のための要件を満たすことが可能でないことがある。
【発明の概要】
【００２９】
本明細書で説明される実施形態は、ユーザ機器（ＵＥ）およびネットワークノードにおけるいくつかの方法を含む。概して、少なくとも１つのサービングキャリア周波数ｆ１上での少なくとも１つの第１の無線測定と、少なくとも１つの非サービングキャリア周波数ｆ２上での少なくとも１つの第２の無線測定とを実施するように設定された、ＵＥなど、無線デバイスにおける方法（ならびに対応する装置およびソフトウェア）であって、ｆ１およびｆ２のうちの少なくとも１つがフレキシブルフレーム構造（たとえば、ＦＳ３）の下で動作している、方法（ならびに対応する装置およびソフトウェア）は、以下のステップを含み得る。ステップ−１：測定ギャップを用いずに第２の無線測定を実施する無線デバイスの能力、または無線デバイスの、測定ギャップについての必要を別のノード（たとえば、ネットワークノード、ｅノードＢ、または測位ノード）に指示すること。ステップ−２：第１の無線測定に関連する時間リソースの第１のセットを取得すること。時間リソースの第１のセットは、第１のセル中のｆ１上の（たとえば、４０ｍｓ、８０ｍｓ、または１６０ｍｓの周期性をもつ）周期発見参照信号（ＤＲＳ：ｄｉｓｃｏｖｅｒｙ  ｒｅｆｅｒｅｎｃｅ  ｓｉｇｎａｌ）測定タイミング設定（ＤＭＴＣ：ＤＲＳ  ｍｅａｓｕｒｅｍｅｎｔ  ｔｉｍｉｎｇ  ｃｏｎｆｉｇｕｒａｔｉｏｎ）オケージョンなど、周期時間リソースを含み得る。ステップ−３：第２の無線測定に関連する時間リソースの第２のセットを取得すること。時間リソースの第２のセットは、第２のセル中のｆ２上の（たとえば、４０ｍｓ、８０ｍｓ、または１６０ｍｓの周期性をもつ）周期ＤＭＴＣオケージョンなど、周期時間リソース、および／または測定ギャップをもつ時間リソースを含み得る。ステップ−４：第１の測定に対する第２の測定の優先度を決定すること。ステップ−５：決定された優先度に基づいて、第１の測定および第２の測定のうちの少なくとも１つを実施すること。いくつかの実施形態では、第１の測定および第２の測定のうちの少なくとも１つを実施することは、第１の測定および／または第２の測定に関連する１つまたは複数の性能メトリック／ターゲット／要件を決定することをさらに含み得る。ステップ−６：第１の測定および／または第２の測定の結果を、別の無線デバイスまたはネットワークノードに送ること、ならびに／あるいは、その結果を無線デバイスの動作タスクのうちの１つまたは複数のために使用すること。
【００３０】
概して、ネットワークノードにおける方法は、以下のステップを含み得る。ステップ−１：測定ギャップを用いずに第２の無線測定を実施する無線デバイスの能力、または無線デバイスの、測定ギャップについての必要を取得すること。ステップ−２：第１の測定に対する第２の測定の優先度を決定すること。ステップ３：決定された優先度に基づいて、（ａ）第１の測定および／または第２の測定に関連する１つまたは複数の性能メトリック／ターゲット／要件を決定すること、（ｂ）測定結果を受信するために、第１の測定および／または第２の測定に関連する決定された１つまたは複数の性能メトリック／ターゲット／要件を使用すること、（ｃ）第１の測定設定および／または第２の測定設定を適応させること、（ｄ）ｆ１上でＤＭＴＣ設定を適応させること、（ｅ）ｆ２上でＤＭＴＣ設定を適応させること、（ｆ）ｆ１上で受信信号強度インジケータ（ＲＳＳＩ）測定タイミング設定（ＲＭＴＣ）設定を適応させること、（ｇ）ｆ２上でＲＭＴＣ設定を適応させること、（ｈ）測定報告設定（たとえば、報告周期性）を適応させること、（ｉ）ネットワークノードにおいて受信することを適応させること（たとえば、適応された報告間隔、緩和された測定時間などに適応させること）、あるいは（ｊ）上記のこと（たとえば、適応されたＤＭＴＣ設定または測定報告設定）に従って適応された少なくとも１つパラメータを無線ノードに送ることのうちの少なくとも１つを実施すること。
【００３１】
いくつかの実施形態によれば、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施する、無線デバイスにおける方法であって、ｆ１およびｆ２のうちの少なくとも１つがフレキシブルフレーム構造の下で動作している、方法が、周波数内無線測定に関連する時間リソースの第１のセットを取得することと、周波数間無線測定に関連する時間リソースの第２のセットを取得することと、時間リソースの第１のセットと時間リソースの第２のセットとの間の重複量に基づいて、周波数内測定に対する周波数間測定の優先度を決定することと、決定された優先度を使用して周波数内測定および周波数間測定のうちの少なくとも１つを実施することとを含む。
【００３２】
特定の実施形態では、本方法は、周波数内測定および周波数間測定のうちの少なくとも１つの結果を、別の無線デバイスまたはネットワークノードに送ることをさらに含む。本方法は、無線デバイスが周波数間無線測定を実施するために測定ギャップを使用するかどうかを別の無線デバイスまたはネットワークノードに指示し得る。
【００３３】
特定の実施形態では、時間リソースの第２のセットは測定ギャップを含む。時間リソースの第１のセットおよび時間リソースの第２のセットのうちの少なくとも１つは、ＤＭＴＣまたはＲＭＴＣに関連し得る。
【００３４】
特定の実施形態では、優先度を決定することは、重複量がしきい値を下回るとき、第１の優先度を決定することと、重複量がしきい値に等しいかまたはそれよりも大きいとき、第２の優先度を決定することとを含む。優先度を決定することは、時間リソースの第１のセットと時間リソースの第２のセットとの間の重複がないとき、周波数内測定および周波数間測定のうちの少なくとも１つを実施するための時間量を決定するために第１の機能を使用することと、時間リソースの第２のセットが時間リソースの第１のセットと少なくとも部分的に重複するとき、時間量を決定するために第２の機能を使用することとを含み得る。優先度を決定することは、時間リソースの第２のセットが時間リソースの第１のセットと完全に重複するとき、時間量を決定するために第３の機能を使用することを含み得る。周波数間測定の決定された優先度は周波数内測定の優先度よりも低い。
【００３５】
特定の実施形態では、決定された優先度を使用して周波数内測定および周波数間測定のうちの少なくとも１つを実施することは、重複する時間リソースにおけるより優先度の低い測定を実施しないことを含む。決定された優先度を使用して周波数内測定および周波数間測定のうちの少なくとも１つを実施することは、周波数内測定および周波数間測定のうちの少なくとも１つを実施するための時間量をスケーリングすることを含み得る。時間量をスケーリングすることは、より優先度の低い測定を実施するための時間量を延長することを含み得る。時間量をスケーリングすることは、時間リソースの第１のセットと時間リソースの第２のセットとの間の重複量に応じて異なるスケーリングファクタを用いてスケーリングすることを含み得る。時間量をスケーリングすることは、時間リソースの第１のセットと時間リソースの第２のセットとの間の重複があるとき、周波数内測定期間を延長することと、時間リソースの第１のセットと時間リソースの第２のセットとの間の重複がないとき、周波数内測定期間を延長しないこととを含み得る。
【００３６】
特定の実施形態では、周波数間測定は、測定ギャップにおいて実施される測定、あるいは、フレキシブルフレーム構造の下で動作するセカンダリキャリアコンポーネント上でのＤＭＴＣオケージョンまたはＲＭＴＣオケージョンに基づく測定を含む。
【００３７】
いくつかの実施形態によれば、無線デバイスが、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能である。ｆ１およびｆ２のうちの少なくとも１つはフレキシブルフレーム構造の下で動作している。本無線デバイスは、周波数内無線測定に関連する時間リソースの第１のセットを取得することと、周波数間無線測定に関連する時間リソースの第２のセットを取得することと、時間リソースの第１のセットと時間リソースの第２のセットとの間の重複量に基づいて、周波数内測定に対する周波数間測定の優先度を決定することと、決定された優先度を使用して周波数内測定および周波数間測定のうちの少なくとも１つを実施することとを行うように動作可能な処理回路を備える。
【００３８】
特定の実施形態では、処理回路は、周波数内測定および周波数間測定のうちの少なくとも１つの結果を、別の無線デバイスまたはネットワークノードに送るようにさらに動作可能である。処理回路は、無線デバイスが周波数間無線測定を実施するために測定ギャップを使用するかどうかを別の無線デバイスまたはネットワークノードに指示するようにさらに動作可能であり得る。
【００３９】
特定の実施形態では、時間リソースの第２のセットは測定ギャップを含む。時間リソースの第１のセットおよび時間リソースの第２のセットのうちの少なくとも１つは、ＤＭＴＣまたはＲＭＴＣに関連し得る。
【００４０】
特定の実施形態では、処理回路は、重複量がしきい値を下回るとき、第１の優先度を決定することと、重複量がしきい値に等しいかまたはそれよりも大きいとき、第２の優先度を決定することとによって優先度を決定するように動作可能である。処理回路は、時間リソースの第１のセットと時間リソースの第２のセットとの間の重複がないとき、周波数内測定および周波数間測定のうちの少なくとも１つを実施するための時間量を決定するために第１の機能を使用することと、時間リソースの第２のセットが時間リソースの第１のセットと少なくとも部分的に重複するとき、時間量を決定するために第２の機能を使用することとによって優先度を決定するように動作可能であり得る。処理回路は、時間リソースの第２のセットが時間リソースの第１のセットと完全に重複するとき、時間量を決定するために第３の機能を使用することによって優先度を決定するように動作可能であり得る。周波数間測定の決定された優先度は周波数内測定の優先度よりも低い。
【００４１】
特定の実施形態では、処理回路は、重複する時間リソースにおけるより優先度の低い測定を実施しないことによって、決定された優先度を使用して周波数内測定および周波数間測定のうちの少なくとも１つを実施するように動作可能である。処理回路は、周波数内測定および周波数間測定のうちの少なくとも１つを実施するための時間量をスケーリングすることによって、決定された優先度を使用して周波数内測定および周波数間測定のうちの少なくとも１つを実施するように動作可能であり得る。時間量をスケーリングすることは、より優先度の低い測定を実施するための時間量を延長することを含み得る。時間量をスケーリングすることは、時間リソースの第１のセットと時間リソースの第２のセットとの間の重複量に応じて異なるスケーリングファクタを用いてスケーリングすることを含み得る。時間量をスケーリングすることは、時間リソースの第１のセットと時間リソースの第２のセットとの間の重複があるとき、周波数内測定期間を延長することと、時間リソースの第１のセットと時間リソースの第２のセットとの間の重複がないとき、周波数内測定期間を延長しないこととを含み得る。
【００４２】
特定の実施形態では、周波数間測定は、測定ギャップにおいて実施される測定、あるいは、フレキシブルフレーム構造の下で動作するセカンダリキャリアコンポーネント上でのＤＭＴＣオケージョンまたはＲＭＴＣオケージョンに基づく測定を含む。
【００４３】
いくつかの実施形態によれば、ネットワークノードが、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能である。ｆ１およびｆ２のうちの少なくとも１つはフレキシブルフレーム構造の下で動作している。ネットワークノードにおける方法が、時間リソースの第１のセットと時間リソースの第２のセットとの間の重複量に基づいて、周波数内測定に対する周波数間測定の優先度を決定することと、決定された優先度を使用して測定設定を実施することとを含む。
【００４４】
特定の実施形態では、本方法は、測定ギャップを用いてまたは用いずに周波数間無線測定を実施する無線デバイスの能力を取得することをさらに含む。
【００４５】
特定の実施形態では、優先度を決定することは、重複量がしきい値を下回るとき、第１の優先度を決定することと、重複量がしきい値に等しいかまたはそれよりも大きいとき、第２の優先度を決定することとを含む。優先度を決定することは、時間リソースの第１のセットと時間リソースの第２のセットとの間の重複がないとき、周波数内測定および周波数間測定のうちの少なくとも１つを実施するための時間量を決定するために第１の機能を使用することと、時間リソースの第２のセットが時間リソースの第１のセットと少なくとも部分的に重複するとき、時間量を決定するために第２の機能を使用することとを含み得る。優先度を決定することは、時間リソースの第２のセットが時間リソースの第１のセットと完全に重複するとき、時間量を決定するために第３の機能を使用することを含み得る。周波数間測定の決定された優先度は周波数内測定の優先度よりも低い。
【００４６】
特定の実施形態では、時間リソースの第１のセットおよび時間リソースの第２のセットのうちの少なくとも１つは、ＤＭＴＣまたはＲＭＴＣを含む。測定設定を実施することは、決定された優先度に基づいてＤＭＴＣまたはＲＭＴＣのうちの少なくとも１つを適応させることを含む。
【００４７】
特定の実施形態では、測定設定を実施することは、周波数内測定および周波数間測定のうちの少なくとも１つを実施するための時間量をスケーリングすることを含む。時間量をスケーリングすることは、より優先度の低い測定を実施するための時間量を延長することを含み得る。時間量をスケーリングすることは、時間リソースの第１のセットと時間リソースの第２のセットとの間の重複量に応じて異なるスケーリングファクタを用いてスケーリングすることを含み得る。時間量をスケーリングすることは、時間リソースの第１のセットと時間リソースの第２のセットとの間の重複があるとき、周波数内測定期間を延長することと、時間リソースの第１のセットと時間リソースの第２のセットとの間の重複がないとき、周波数内測定期間を延長しないこととを含み得る。
【００４８】
特定の実施形態では、周波数間測定は、測定ギャップにおいて実施される測定、あるいは、フレキシブルフレーム構造の下で動作するセカンダリキャリアコンポーネント上でのＤＭＴＣオケージョンまたはＲＭＴＣオケージョンに基づく測定を含む。
【００４９】
いくつかの実施形態によれば、ネットワークノードが、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能である。ｆ１およびｆ２のうちの少なくとも１つはフレキシブルフレーム構造の下で動作している。ネットワークノードは、時間リソースの第１のセットと時間リソースの第２のセットとの間の重複量に基づいて、周波数内測定に対する周波数間測定の優先度を決定することと、決定された優先度を使用して測定設定を実施することとを行うように動作可能な処理回路を備える。
【００５０】
特定の実施形態では、処理回路は、測定ギャップを用いてまたは用いずに周波数間無線測定を実施する無線デバイスの能力を取得するようにさらに動作可能である。
【００５１】
特定の実施形態では、処理回路は、重複量がしきい値を下回るとき、第１の優先度を決定することと、重複量がしきい値に等しいかまたはそれよりも大きいとき、第２の優先度を決定することとによって優先度を決定するように動作可能である。処理回路は、時間リソースの第１のセットと時間リソースの第２のセットとの間の重複がないとき、周波数内測定および周波数間測定のうちの少なくとも１つを実施するための時間量を決定するために第１の機能を使用することと、時間リソースの第２のセットが時間リソースの第１のセットと少なくとも部分的に重複するとき、時間量を決定するために第２の機能を使用することとによって優先度を決定するように動作可能であり得る。処理回路は、時間リソースの第２のセットが時間リソースの第１のセットと完全に重複するとき、時間量を決定するために第３の機能を使用することによって優先度を決定するように動作可能であり得る。周波数間測定の決定された優先度は周波数内測定の優先度よりも低い。
【００５２】
特定の実施形態では、時間リソースの第１のセットおよび時間リソースの第２のセットのうちの少なくとも１つは、ＤＭＴＣまたはＲＭＴＣを含む。処理回路は、決定された優先度に基づいてＤＭＴＣまたはＲＭＴＣのうちの少なくとも１つを適応させることによって測定設定を実施するように動作可能である。
【００５３】
特定の実施形態では、処理回路は、周波数内測定および周波数間測定のうちの少なくとも１つを実施するための時間量をスケーリングすることによって測定設定を実施するように動作可能である。時間量をスケーリングすることは、より優先度の低い測定を実施するための時間量を延長することを含み得る。時間量をスケーリングすることは、時間リソースの第１のセットと時間リソースの第２のセットとの間の重複量に応じて異なるスケーリングファクタを用いてスケーリングすることを含み得る。時間量をスケーリングすることは、時間リソースの第１のセットと時間リソースの第２のセットとの間の重複があるとき、周波数内測定期間を延長することと、時間リソースの第１のセットと時間リソースの第２のセットとの間の重複がないとき、周波数内測定期間を延長しないこととを含み得る。
【００５４】
特定の実施形態では、周波数間測定は、測定ギャップにおいて実施される測定、あるいは、フレキシブルフレーム構造の下で動作するセカンダリキャリアコンポーネント上でのＤＭＴＣオケージョンまたはＲＭＴＣオケージョンに基づく測定を含む。
【００５５】
いくつかの実施形態によれば、無線デバイスが、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能である。ｆ１およびｆ２のうちの少なくとも１つはフレキシブルフレーム構造の下で動作している。無線デバイスは、取得モジュールと、決定モジュールと、測定モジュールとを備える。取得モジュールは、周波数内無線測定に関連する時間リソースの第１のセットを取得することと、周波数間無線測定に関連するリソースの第２のセットを取得することとを行うように動作可能である。決定モジュールは、時間リソースの第１のセットと時間リソースの第２のセットとの間の重複量に基づいて、周波数内測定に対する周波数間測定の優先度を決定するように動作可能である。測定モジュールは、決定された優先度を使用して周波数内測定および周波数間測定のうちの少なくとも１つを実施するように動作可能である。
【００５６】
いくつかの実施形態によれば、ネットワークノードが、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能である。ｆ１およびｆ２のうちの少なくとも１つはフレキシブルフレーム構造の下で動作している。ネットワークノードは、決定モジュールと、設定モジュールとを備える。決定モジュールは、時間リソースの第１のセットと時間リソースの第２のセットとの間の重複量に基づいて、周波数内測定に対する周波数間測定の優先度を決定するように動作可能である。設定モジュールは、決定された優先度を使用して測定設定を実施するように動作可能である。
【００５７】
コンピュータプログラム製品も開示される。コンピュータプログラム製品は、プロセッサによって実行されたとき、周波数間無線測定に関連する時間リソースの第２のセットを取得するステップと、時間リソースの第１のセットと時間リソースの第２のセットとの間の重複量に基づいて、周波数内測定に対する周波数間測定の優先度を決定するステップと、決定された優先度を使用して周波数内測定および周波数間測定のうちの少なくとも１つを実施するステップとを実施する、非一時的コンピュータ可読媒体に記憶された命令を備える。
【００５８】
別のコンピュータプログラム製品は、プロセッサによって実行されたとき、時間リソースの第１のセットと時間リソースの第２のセットとの間の重複量に基づいて、周波数内測定に対する周波数間測定の優先度を決定するステップと、決定された優先度を使用して測定設定を実施するステップとを実施する、非一時的コンピュータ可読媒体に記憶された命令を備える。
【００５９】
本開示のいくつかの実施形態は、１つまたは複数の技術的利点を与え得る。一例として、いくつかの実施形態の特定の利点は、ＵＥが周波数間測定を実施し、測定を実施するためのタイミング要件を満たし得ることである。他の利点が当業者に明らかである。
【００６０】
実施形態ならびにそれらの特徴および利点のより完全な理解のために、次に、添付の図面とともに、以下の説明が参照される。
【図面の簡単な説明】
【００６１】
【図１】ｌｏｎｇ  ｔｅｒｍ  ｅｖｏｌｕｔｉｏｎ（ＬＴＥ）における例示的なリッスンビフォアトーク（ＬＢＴ）プロシージャを示す図である。
【図２】同じセルＩＤ（すなわち、物理セル識別子（ＰＣＩ））をすべてが共有する、１つのマクロノードといくつかのリモート無線ヘッド（ＲＲＨ）とをもつ例示的な共有セルの図である。
【図３】特定の実施形態による、例示的な無線ネットワークを示す図である。
【図４】いくつかの実施形態による、無線デバイスにおける例示的な方法の流れ図である。
【図５】いくつかの実施形態による、ネットワークノードにおける例示的な方法の流れ図である。
【図６Ａ】無線デバイスの例示的な実施形態を示すブロック図である。
【図６Ｂ】無線デバイスの例示的な構成要素を示すブロック図である。
【図７Ａ】ネットワークノードの例示的な実施形態を示すブロック図である。
【図７Ｂ】ネットワークノードの例示的な構成要素を示すブロック図である。
【発明を実施するための形態】
【００６２】
第３世代パートナーシッププロジェクト（３ＧＰＰ）Ｌｏｎｇ  Ｔｅｒｍ  Ｅｖｏｌｕｔｉｏｎ（ＬＴＥ）は、マルチキャリア動作を含む。マルチキャリア動作では、ユーザ機器（ＵＥ）は、データを受信し、ならびに／または、データを２つ以上のサービングセル、および時々２つ以上の周波数に送信することができる。マルチキャリアシステムは、ライセンス済みスペクトルおよび／または未ライセンススペクトルにおけるキャリアを含み得る。ＬＴＥ  ＵＥは、測定ギャップを使用して周波数間測定を実施し得る。特定の問題は、周波数間ライセンス支援型アクセス（ＬＡＡ）測定を実施するために測定ギャップが設定されたＵＥが、測定を実施するための現在明記されている要件を満たすことが可能でないことがあることである。たとえば、ＵＥは、測定ギャップがセカンダリコンポーネントキャリア（ＳＣＣ）（サービングセルまたはネイバーセル）上の発見測定タイミング設定（ＤＭＴＣ：ｄｉｓｃｏｖｅｒｙ  ｍｅａｓｕｒｅｍｅｎｔ  ｔｉｍｉｎｇ  ｃｏｎｆｉｇｕｒａｔｉｏｎ）オケージョンと重複するとき、これらの周波数間測定のための明記された要件および／またはＳＣＣ上で実施されるＬＡＡ測定のための要件を満たすことが可能でないことがある。
【００６３】
特定の実施形態は、上記で説明された問題をなくし、もう２つのキャリア周波数上での測定を実施するために使用されるタイミングリソース間の重複量を決定することを含む。重複量に基づいて、ＵＥは、ある周波数上での測定または別の周波数上での測定に優先度を付け得る。測定に優先度を付けることは、明記された時間要件または信号品質に従って、ある周波数上での測定を実施し、通常（すなわち、重複なし）よりも緩和された要件に従って、より優先度の低い測定を実施することを指し得る。
【００６４】
本明細書で説明される２つまたはそれ以上の実施形態は、任意のやり方で互いに組み合わせられ得る。さらに、本明細書の例はＬＡＡコンテキストにおいて与えられるが、本明細書で説明される実施形態はＬＡＡに限定されない。説明される実施形態は、ＬＴＥにも限定されないが、ＵＴＲＡ、ＬＴＥアドバンスト、５Ｇ、ＮＸ、ＮＢ−ＩｏＴ、ＷｉＦｉ、ＢｌｕｅＴｏｏｔｈなど、他の無線アクセス技術（ＲＡＴ）において適応され得る。
【００６５】
本明細書で説明される実施形態は、たとえば、未ライセンススペクトルにおける少なくとも１つのキャリアをもつ一般的なシングルキャリアまたはマルチキャリア／キャリアアグリゲーション展開に適用され得るか、あるいは、フレーム構造タイプ３（ＦＳ３）に基づいて、デュアルコネクティビティをもつ展開、マルチコネクティビティをもつ展開、スタンドアロンまたは非スタンドアロンＬＡＡ／ｅＬＡＡ動作などに適用され得る。
【００６６】
いくつかの実施形態は、「ＵＥ」という非限定的な用語を使用する。ＵＥは、無線信号を介してネットワークノードまたは別のＵＥと通信することが可能な任意のタイプの無線デバイスを指し得る。ＵＥはまた、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ＵＥを装備したセンサー、ｉＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、顧客構内機器（ＣＰＥ）などであり得る。ＵＥは無線デバイスと呼ばれることもある。
【００６７】
いくつかの実施形態は、「ネットワークノード」という非限定的な用語を使用する。ネットワークノードは、基地局、無線基地局、基地トランシーバ局、基地局コントローラ、ネットワークコントローラ、エボルブドノードＢ（ｅＮＢ）、ノードＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、コアネットワークノード（たとえば、モビリティ管理エンティティ（ＭＭＥ）、自己最適化ネットワーク（ＳＯＮ）ノード、協調ノード、測位ノード（たとえば、ＳＭＬＣ、Ｅ−ＳＭＬＣなど）、ＭＤＴノードなど）などの無線ネットワークノード、さらには、外部ノード（たとえば、第三者ノード、現在のネットワークの外部のノード）などを含み得る任意の種類のネットワークノードを指し得る。
【００６８】
いくつかの実施形態は、プライマリサービングセル（ＰＣｅｌｌ）、プライマリセカンダリセル（ＰＳＣｅｌｌ）およびセカンダリ（サービング）セル（ＳＣｅｌｌ）という一般用語を使用し得る。これらの用語は、あるＵＥが使用するように設定される異なるタイプのサービングセルを指し得る。これらの用語のために使用され得る他の用語は、それぞれ、プライマリコンポーネントキャリア（ＰＣＣ）、プライマリセカンダリコンポーネントキャリア（ＰＳＣＣ）、およびセカンダリコンポーネントキャリア（ＳＣＣ）である。
【００６９】
「無線ノード」という用語は、ＵＥまたは無線ネットワークノードを指し得る。
【００７０】
「シグナリング」という用語は、（たとえば、ＲＲＣを介した）上位レイヤシグナリング、（たとえば、物理制御チャネルまたはブロードキャストチャネルを介した）下位レイヤシグナリング、またはそれらの組合せのいずれかを指し得る。シグナリングは暗示的または明示的であり得る。シグナリングは、さらに、ユニキャスト、マルチキャストまたはブロードキャストであり得る。シグナリングはまた、別のノードに直接であるか、または第３のノードを介し得る。
【００７１】
発見参照信号（ＤＲＳ）または発見（ｄｉｓｃｏｖｅｒ）（または発見（ｄｉｓｃｏｖｅｒｙ））信号という用語は、１つまたは複数の測定を実施するためにＵＥが使用し得る任意のタイプの参照信号を指し得る。ＤＲＳの例は、セル固有参照信号（ＣＲＳ）、チャネル状態インジケータ参照信号（ＣＳＩ−ＲＳ：ｃｈａｎｎｅｌ  ｓｔａｔｅ  ｉｎｄｉｃａｔｏｒ−ｒｅｆｅｒｅｎｃｅ  ｓｉｇｎａｌ）、プライマリ同期信号（ＰＳＳ）、セカンダリ同期信号（ＳＳＳ）、マルチキャストブロードキャスト単一周波数ネットワーク（ＭＢＳＦＮ）参照信号などを含む。１つまたは複数のＤＲＳは、同じＤＲＳ時間リソースにおいて送信され得る。ＤＲＳ時間リソースの例は、シンボル、サブフレーム、スロット、送信時間間隔などを含む。
【００７２】
本明細書における「無線測定（値）（ｒａｄｉｏ  ｍｅａｓｕｒｅｍｅｎｔ）」という用語は、無線測定（値）（ｒａｄｉｏ  ｍｅａｓｕｒｅｍｅｎｔｓ）を指す。無線測定値のいくつかの例は、ＤＲＳまたは発見信号測定値、受信信号強度インジケータＲＳＳＩ測定値、チャネル占有測定値、ＷｉＦｉ  ＲＳＳＩ測定値、信号強度または信号電力測定値（たとえば、参照信号受信電力（ＲＳＲＰ）またはＣＳＩ−ＲＳＲＰ）、信号品質測定値（たとえば、参照信号受信品質（ＲＳＲＱ）、信号対干渉雑音比（ＳＩＮＲ））、タイミング測定値（たとえば、ＵＥ  Ｒｘ−Ｔｘ時間差、ＢＳ  Ｒｘ−Ｔｘ時間差、タイミングアドバンス、ＲＳＴＤ、ＲＴＴ、ＴＯＡ）、無線リンク監視測定値（ＲＬＭ）、ＣＳＩ、ＰＭＩ、セル検出、セル識別、成功した報告の回数、ＡＣＫ／ＮＡＣＫの回数、失敗率、エラーレート、正しいシステム情報の読み取りなどを含む。測定値は、絶対的または相対的（たとえば、絶対ＲＳＲＰおよび相対ＲＳＲＰ）であり得る。測定は、１つまたは複数の異なる目的、たとえば、ＲＲＭ、ＳＯＮ、測位、ＭＤＴなどのために実施され得る。測定は、たとえば、周波数内測定、周波数間測定、またはＣＡ測定であり得る。測定は、ライセンス済みスペクトルおよび／または未ライセンススペクトルにおいて実施され得る。測定または測定報告は、単一の測定、周期的または非周期的、イベントトリガ型、ロギングされた測定などであり得る。測定は、単方向、たとえば、ダウンリンク測定、アップリンク測定、あるいは、双方向、たとえば、Ｒｘ−ＴｘまたはＲＴＴであり得る。
【００７３】
「無線信号」という用語は、たとえば、参照信号（たとえば、ＣＲＳ、ＣＳＩ−ＲＳ、ＭＢＳＦＮ  ＲＳ、測位参照信号（ＰＲＳ）、セル固有参照信号、ＵＥ固有参照信号、ＣＳＩ−ＲＳ）、同期信号（たとえば、ＰＳＳ、ＳＳＳなど）、無線チャネル（たとえば、制御チャネル、ブロードキャストまたはマルチキャストチャネルなど）、発見またはＤＲＳ信号などのうちの１つまたは複数を指し得る。無線信号（ｒａｄｉｏ  ｓｉｇｎａｌ）は無線信号（ｗｉｒｅｌｅｓｓ  ｓｉｇｎａｌ）と呼ばれることもある。
【００７４】
ＬＢＴという用語は、キャリア上で信号を送信することを決める前に、そのキャリア上でノードによって実施される任意のタイプのＣＳＭＡプロシージャまたは機構に対応し得る。ＣＳＭＡまたはＬＢＴは、クリアチャネルアセスメント、クリアチャネル決定などと互換的に呼ばれることもある。ＬＢＴは、任意の無線ノードによって（たとえば、ＵＥによって、または無線ネットワークノードによって）実施され得る。
【００７５】
時間リソースという用語は、時間の長さに関して表現される任意のタイプの物理リソースまたは無線リソースに対応し得る。時間リソースの例は、シンボル、タイムスロット、サブフレーム、無線フレーム、ＴＴＩ、インターリービング時間などを含む。
【００７６】
「フレキシブルフレーム構造」という用語は、たとえば、３ＧＰＰ  ＴＳ３６．２１１において規定されているＦＳ３構造を指し得る。フレキシブルフレーム構造はまた、別段に指示されていない限り、任意のリソースがデフォルトでダウンリンクリソースである任意のフレーム構造であり得る。フレキシブルフレーム構造では、無線ノードは、送信することが可能であるようにチャネルアクセスプロシージャ（たとえば、ＣＳＭＡ）を実施する必要があり得る。
【００７７】
特定の実施形態が図面の図４〜図７Ｂを参照しながら説明され、同様の数字が様々な図面の同様の部分および対応する部分のために使用されている。ＬＴＥおよびＮＲが、本開示全体にわたって、例示的なセルラーシステムとして使用されるが、本明細書で提示されるアイデアは、同様に他の無線通信システムに適用され得る。
【００７８】
図３は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を行うことができる任意の他のデバイスなどの）１つまたは複数の無線デバイス１１０と、（基地局またはｅノードＢなどの）複数のネットワークノード１２０とを含む。ネットワークノード１２０は、（セル１１５とも呼ばれる）カバレッジエリア１１５をサーブする。いくつかの実施形態では、ネットワークノード１２０および無線デバイス１１０は、それぞれ、図２に関して説明された、マクロノード１２０および無線デバイス１１０と同様の機能を実施し得る。
【００７９】
概して、無線ネットワークノード１２０のカバレッジ内（たとえば、ネットワークノード１２０によってサーブされるセル１１５内）にある無線デバイス１１０は、無線信号１３０を送信および受信することによって、無線ネットワークノード１２０と通信する。たとえば、無線デバイス１１０および無線ネットワークノード１２０は、音声トラフィック、データトラフィック、および／または制御信号を含んでいる無線信号１３０を通信し得る。音声トラフィック、データトラフィック、および／または制御信号を無線デバイス１１０に通信するネットワークノード１２０は、無線デバイス１１０のためのサービングネットワークノード１２０と呼ばれることがある。無線信号１３０は、（無線ネットワークノード１２０から無線デバイス１１０への）ダウンリンク送信と（無線デバイス１１０から無線ネットワークノード１２０への）アップリンク送信の両方を含み得る。無線信号１３０は、特定のヌメロロジー（たとえば、無線フレーム持続時間、サブフレームまたはＴＴＩ持続時間、スロット持続時間、スロットおよびサブフレームごとのシンボル、サブキャリア間隔、サンプリング周波数、ＦＦＴサイズ、リソースブロックごとのサブキャリア、サイクリックプレフィックスなど）に従って送信され得る。
【００８０】
いくつかの実施形態では、無線デバイス１１０は、「ＵＥ」という非限定的な用語で呼ばれることがある。ＵＥは、無線信号を介してネットワークノードまたは別のＵＥと通信することが可能な任意のタイプの無線デバイスを含み得る。ＵＥは、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ＵＥを装備したセンサー、ｉＰＡＤ、タブレット、モバイル端末、スマートフォン、ラップトップ組込み装備（ＬＥＥ）、ラップトップ搭載機器（ＬＭＥ）、ＵＳＢドングル、顧客構内機器（ＣＰＥ）などを含み得る。
【００８１】
いくつかの実施形態では、ネットワークノード１２０は、基地局、無線基地局、基地トランシーバ局、基地局コントローラ、ネットワークコントローラ、エボルブドノードＢ（ｅＮＢ）、ノードＢ、マルチＲＡＴ基地局、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、コアネットワークノード（たとえば、ＭＭＥ、ＳＯＮノード、協調ノードなど）、さらには、外部ノード（たとえば、第三者ノード、現在のネットワークの外部のノード）など、任意のタイプのネットワークノードを含み得る。
【００８２】
ネットワーク１００は、キャリアアグリゲーションを含み得る。たとえば、無線デバイス１１０は、ネットワークノード１２０ａとネットワークノード１２０ｂの両方によってサーブされ、ネットワークノード１２０ａとネットワークノード１２０ｂの両方と無線信号１３０を通信し得る。
【００８３】
いくつかの実施形態では、無線デバイス１１０は、少なくとも１つのキャリア周波数ｆ１上での少なくとも１つの第１の無線測定と、少なくとも１つの他のキャリア周波数ｆ２上での少なくとも１つの第２の無線測定とを実施するように設定される。ｆ１およびｆ２のうちの少なくとも１つはフレキシブルフレーム構造（たとえば、ＦＳ３）の下で動作している。
【００８４】
いくつかの実施形態では、無線デバイス１１０は、測定ギャップを用いてまたは用いずに測定を実施する無線デバイス１１０の能力を、ネットワークノード１２０または別の無線デバイス１１０など、別のノードに指示する。無線デバイス１１０は、第１の無線測定に関連する時間リソースの第１のセットを取得し得る。時間リソースの第１のセットは、第１のセル中のｆ１上の（たとえば、４０ｍｓ、８０ｍｓ、または１６０ｍｓの周期性をもつ）周期ＤＭＴＣオケージョンなど、周期時間リソースを含み得る。無線デバイス１１０は、第２の無線測定に関連する時間リソースの第２のセットを取得し得る。時間リソースの第２のセットは、第２のセル中のｆ２上の（たとえば、４０ｍｓ、８０ｍｓ、または１６０ｍｓの周期性をもつ）周期ＤＭＴＣオケージョンなど、周期時間リソース、および／または測定ギャップをもつ時間リソースを含み得る。無線デバイス１１０は、（たとえば、時間リソースの２つのセット間の重複量に基づいて）第１の測定に対する第２の測定の優先度を決定し、決定された優先度に基づいて、第１の測定および第２の測定のうちの少なくとも１つを実施し得る。いくつかの実施形態では、第１の測定および第２の測定のうちの少なくとも１つを実施することは、第１の測定および／または第２の測定に関連する１つまたは複数の性能メトリック／ターゲット／要件を決定することをさらに含み得る。無線デバイス１１０は、第１の測定および／または第２の測定の結果を、別の無線デバイス１１０またはネットワークノード１２０に送り得る。いくつかの実施形態では、無線デバイス１１０は、その結果を１つまたは複数の動作タスクのために使用し得る。
【００８５】
いくつかの実施形態では、ネットワークノード１２０は、測定ギャップを用いてまたは用いずに測定を実施する無線デバイス１１０の能力を取得し得る。ネットワークノード１２０は、（たとえば、各測定に関連する時間リソース間の重複量に基づいて）第１の測定に対する第２の測定の優先度を決定し得る。決定された優先度に基づいて、ネットワークノード１２０は、（ａ）第１の測定および／または第２の測定に関連する１つまたは複数の性能メトリック／ターゲット／要件を決定すること、（ｂ）測定結果を受信するために、第１の測定および／または第２の測定に関連する決定された１つまたは複数の性能メトリック／ターゲット／要件を使用すること、（ｃ）第１の測定設定および／または第２の測定設定を適応させること、（ｄ）ｆ１上でＤＭＴＣ設定を適応させること、（ｅ）ｆ２上でＤＭＴＣ設定を適応させること、（ｆ）ｆ１上でＲＭＴＣ設定を適応させること、（ｇ）ｆ２上でＲＭＴＣ設定を適応させること、（ｈ）測定報告設定（たとえば、報告周期性）を適応させること、（ｉ）ネットワークノードにおいて受信することを適応させること（たとえば、適応された報告間隔、緩和された測定時間などに適応させること）、あるいは（ｊ）上記のこと（たとえば、適応されたＤＭＴＣ設定または測定報告設定）に従って適応された少なくとも１つパラメータを無線ノードに送ることのうちの少なくとも１つを実施し得る。
【００８６】
各ネットワークノード１２０は、無線信号１３０を無線デバイス１１０に送信するための単一の送信機または複数の送信機を有し得る。いくつかの実施形態では、ネットワークノード１２０は、多入力多出力（ＭＩＭＯ）システムを備え得る。同様に、各無線デバイス１１０は、ネットワークノード１２０から信号１３０を受信するための単一の受信機または複数の受信機を有し得る。
【００８７】
無線ネットワーク１００では、各無線ネットワークノード１２０は、ｌｏｎｇ  ｔｅｒｍ  ｅｖｏｌｕｔｉｏｎ（ＬＴＥ）、ＬＴＥアドバンスト、ＮＲ、ＵＭＴＳ、ＨＳＰＡ、ＧＳＭ、ｃｄｍａ２０００、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲はそれらの例に限定されず、他の実施形態は異なる無線アクセス技術を使用することができる。
【００８８】
上記で説明されたように、無線ネットワークの実施形態は、１つまたは複数の無線デバイスと、無線デバイスと通信することが可能な１つまたは複数の異なるタイプの無線ネットワークノードとを含み得る。ネットワークは、無線デバイス間の通信、または無線デバイスと（固定電話などの）別の通信デバイスとの間の通信をサポートするのに好適な追加のエレメントをも含み得る。無線デバイスは、ハードウェアおよび／またはソフトウェアの任意の好適な組合せを含み得る。たとえば、特定の実施形態では、無線デバイス１１０などの無線デバイスは、図６Ａに関して以下で説明される構成要素を含み得る。同様に、ネットワークノードは、ハードウェアおよび／またはソフトウェアの任意の好適な組合せを含み得る。たとえば、特定の実施形態では、ネットワークノード１２０などのネットワークノードは、図７Ａに関して以下で説明される構成要素を含み得る。
【００８９】
特定の実施形態は、無線デバイスにおける方法とネットワークノードにおける方法とを含む。例示的な方法が図４および図５に示されている。
【００９０】
無線デバイス１１０などの無線デバイスは、時間リソースの第１のセット（たとえば、ＤＭＴＣ、ＲＭＴＣなど）における少なくとも１つのキャリア周波数ｆ１（たとえば、サービングキャリア周波数）上での少なくとも１つの周波数内無線測定と、時間リソースの第２のセット（たとえば、ＤＭＴＣ、ＲＭＴＣなど）における少なくとも１つのキャリア周波数ｆ２（たとえば、非サービングキャリア周波数）上での少なくとも１つの周波数間無線測定とを実施するように設定され得る。ｆ１およびｆ２のうちの少なくとも１つはフレキシブルフレーム構造（たとえば、ＦＳ３）の下で動作している。
【００９１】
第１の無線測定の例は、ＳＣＣまたはＰＣＣまたはＰＳＣＣ上でのＣＲＳベースまたはＣＳＩ−ＲＳベース測定、周波数内ＲＳＳＩ、周波数内チャネル占有、ＣＡ測定、ＣＡ  ＬＡＡ測定、あるいは周波数内ＬＡＡ測定（ＬＡＡと「ＦＳ３の下で」とは本明細書では互換的に使用され得る）、アクティブ化されたＣＣ上でのＣＡ測定、およびアクティブ化解除されたＣＣ上でのＣＡ測定を含む。
【００９２】
第２の無線測定の例は、周波数間ＣＲＳベースまたはＣＳＩ−ＲＳベース測定、周波数間ＲＳＳＩ、周波数間チャネル占有、周波数間ＬＡＡ測定、任意の他の周波数間さらにはＲＡＴ間測定、およびアクティブ化解除されたＣＣ上でのＣＡ測定（一例では、アクティブ化解除されたＣＣ上での測定は、アクティブ化されたＣＣ上での測定よりも低い優先度を有し得、別の例では、アクティブ化解除されたＣＣ上での測定は、周波数間測定よりも高い優先度を有し得る）を含む。
【００９３】
図４は、いくつかの実施形態による、無線デバイスにおける例示的な方法の流れ図である。特定の実施形態では、方法４００の１つまたは複数のステップは、図３を参照しながら説明された無線ネットワーク１００の構成要素によって実施され得る。
【００９４】
方法４００はステップ４１２において開始し、ここで、無線デバイスは、無線デバイスが周波数間無線測定を実施するために測定ギャップを使用するかどうかを別のノード（たとえば、別の無線デバイス、ネットワークノード、ｅノードＢ、または測位ノード）に指示する。たとえば、無線デバイス１１０が、測定ギャップを用いずに第２の無線測定を実施する無線デバイスの能力、または無線デバイスの、測定ギャップについての必要を、ネットワークノード１２０に指示し得る。
【００９５】
特定の実施形態では、そのようなケイパビリティ（ｃａｐａｂｉｌｉｔｙ）は、本明細書で説明される１つまたは複数の実施形態に従って動作する無線デバイスの能力をも含み得る。指示された情報は、たとえば、リソースの第１および第２のセット、測定ギャップが設定および／または使用されるかどうか、性能メトリック／ターゲット／要件、優先度などを決定し得る。指示された情報は、別のノードからの要求時にまたは送信請求されずに、たとえば、トリガ条件またはイベント時にあるいは別のノードからの測定設定の受信時に、与えられ得る。
【００９６】
ステップ４１４において、無線デバイスは、第１の無線測定に関連する時間リソースの第１のセットを取得する。たとえば、無線デバイス１１０が、第１の無線測定に関連する時間リソースの第１のセットを取得し得る。
【００９７】
特定の実施形態では、取得されたリソースは、無線デバイスが受信／測定することが予想されるダウンリンク無線信号／チャネル、あるいは、第１の無線測定について関連のあるダウンリンク無線信号／チャネルが別の無線ノード（たとえば、サービングＢＳまたはネイバーＢＳ）によって送信されるリソースに対応し得る。
【００９８】
時間リソースの第１のセットは周期時間リソースを含み得る。一例では、時間リソースの第１のセットは、第１のセル中のｆ１上の、（たとえば、４０ｍｓ、８０ｍｓ、または１６０ｍｓの周期性をもつ）周期ＤＭＴＣオケージョン、および／またはＤＲＳ信号を含み得る。
【００９９】
取得することは、たとえば、（ａ）上位レイヤシグナリングおよび／または物理レイヤ（たとえば、ＰＤＣＣＨ）を介して別のノード（たとえばサービングＢＳ）から受信された１つまたは複数のメッセージまたは指示、（ｂ）第１の測定設定、（ｃ）あらかじめ規定された（１つまたは複数の）値（たとえば、あらかじめ規定された６ｍｓのＤＭＴＣオケージョン持続時間）、（ｄ）あらかじめ規定されたルールまたは設定（たとえば、いくつかの条件におけるある周期性）、（ｅ）無線ノードのアクティビティ状態（たとえば、ＤＲＸまたは非ＤＲＸ）、ならびに／あるいは（ｆ）履歴、記憶された設定などのうちの１つまたは複数に基づき得る。
【０１００】
時間リソースの第１のセットを取得することは、第１の測定設定を取得することを含み得る。第１の測定設定を取得することは、（以下で規定される）関連する測定性能メトリック／ターゲット／特性を取得することを含み得る。第１の測定設定は、別のノード（たとえば、基地局）から受信されるか、または、ルール、履歴などに基づいて決定され得る。
【０１０１】
ステップ４１６において、無線デバイスは、第２の無線測定に関連する時間リソースの第２のセットを取得する。たとえば、無線デバイス１１０が、第２の無線測定に関連する時間リソースの第２のセットを取得し得る。
【０１０２】
いくつかの実施形態では、リソースは、無線デバイスが受信／測定することが予想されるダウンリンク無線信号／チャネル、あるいは、第２の無線測定について関連のあるダウンリンク無線信号／チャネルが別の無線ノード（たとえば、サービング基地局またはネイバー基地局）によって送信されるリソースに対応し得る。
【０１０３】
時間リソースの第２のセットは周期時間リソースを含み得る。一例では、時間リソースの第２のセットは、第２のセル中のｆ２上の（たとえば、４０ｍｓ、８０ｍｓ、または１６０ｍｓの周期性をもつ）周期ＤＭＴＣオケージョン、および／または測定ギャップを伴って設定された時間リソースを含み得る。
【０１０４】
取得することは、たとえば、（ａ）上位レイヤシグナリングおよび／または物理レイヤ（たとえば、ＰＤＣＣＨ）を介して別のノード（たとえばサービング基地局）から受信された１つまたは複数のメッセージまたは指示、（ｂ）第１の測定設定、（ｃ）あらかじめ規定された（１つまたは複数の）値（たとえば、あらかじめ規定された６ｍｓのＤＭＴＣオケージョン持続時間）、（ｄ）あらかじめ規定されたルールまたは設定（たとえば、いくつかの条件におけるある周期性）、（ｅ）無線ノードのアクティビティ状態（たとえば、ＤＲＸまたは非ＤＲＸ）、ならびに／あるいは（ｆ）履歴、記憶された設定などのうちの１つまたは複数に基づき得る。
【０１０５】
時間リソースの第２のセットを取得することは、第２の測定設定を取得することを含み得る。第２の測定設定を取得することは、（以下で規定される）関連する測定性能メトリック／ターゲット／特性を取得することを含み得る。第２の測定設定は、別のノード（たとえば、ＢＳ）から受信されるか、または、ルール、履歴などに基づいて決定され得る。
【０１０６】
ステップ４１８において、無線デバイスは、第１の測定に対する第２の測定の優先度を決定する。優先度は、時間リソースの第１のセットと時間リソースの第２のセットとの間の重複量に基づいて決定され得る。たとえば、無線デバイス１１０が、第１の測定に対する第２の測定の優先度を決定し得る。
【０１０７】
いくつかの実施形態では、優先度を決定することは、時間リソースの第１のセットと時間リソースの第２のセットとの間の重複量を決定することをさらに含む。一例では、優先度を決定することは、優先度がより低い（たとえば、第１の無線測定と比較して第２の無線測定についてより低い）と決定することをさらに含み得る。別の例では、優先度を決定することは、優先度がより高いと決定することをさらに含み得る。また別の例では、優先度を決定することは、優先度が同じであると決定することをさらに含み得る。
【０１０８】
いくつかの例が以下にリストされる（それらの例はまた、互いと組み合わさり得る）。
●  ｆ１およびｆ２がＦＳ３キャリアであり、ｆ２が周波数間であり、ｆ１が周波数内であるとき、優先度は（第２の無線測定について）より低い
●  ｆ１およびｆ２がＦＳ３キャリアであり、ｆ２が周波数間であり、ｆ１が周波数内であるとき、時間リソースの第１のセットと時間リソースの第２のセットとが完全に重複する（たとえば、ｆ１上のすべてのＤＭＴＣオケージョンが、ｆ２上のすべてのＤＭＴＣオケージョン、および／またはすべての測定ギャップと重複する）とき、優先度は（第２の無線測定について）より低い
●  ｆ１およびｆ２がＦＳ３キャリアであり、ｆ２が周波数間であり、ｆ１が周波数内であるとき、時間リソースの第１のセットと時間リソースの第２のセットとが少なくとも部分的に重複する（たとえば、ｆ１上の少なくともいくつかのＤＭＴＣオケージョンが、ｆ２上の少なくともいくつかのＤＭＴＣオケージョンおよび／または測定ギャップと重複する）とき、優先度は（第２の無線測定について）より低い
●  重複量が第１のしきい値にあるかまたは第１のしきい値を上回る（たとえば、５０％、１００％、６つのサブフレームのうちの４つ）とき、優先度は（第２の無線測定について）より低い
●  重複量が第１のしきい値を下回るとき、優先度は同じである
●  重複量が第２のしきい値（たとえば、第２のしきい値≦第１のしきい値）を下回るとき、優先度は（第２の無線測定について）より高い
●  ｆ２がＦＳ３ベースであり、ｆ１がＦＳ３ベースまたはＦＤＤまたはＴＤＤであるとき、優先度は（第２の無線測定について）より低い
●  ｆ２がＦＤＤまたはＴＤＤであり、ｆ１がＦＳ３ベースであるとき、優先度は（第２の無線測定について）より低くない
●  第２の測定のための帯域幅が第１のしきい値を上回り、および／または第１の測定のための帯域幅が第２のしきい値を下回る場合、優先度は（第２の無線測定について）より低い
●  第２の測定のための帯域幅が第１のしきい値を下回り、および／または第１の測定のための帯域幅が第２のしきい値を上回る場合、優先度は同じであるかまたは（第２の無線測定について）より高い
●  優先度は、第１の時間リソースの周期性Ｔ１と第２の時間リソースの周期性Ｔ２との間の関係によって決定され、たとえば、Ｔ１＝Ｔ２であるときまたはＴ１≦Ｔ２であるとき、優先度は（第１の無線測定について）より低く、Ｔ１：Ｔ２が増加するとき、優先度は増加し得る、などである
●  アクティブ化解除されたＣＣ上での測定は、アクティブ化されたＣＣ上での測定よりも低い優先度を有し得、別の例では、アクティブ化解除されたＣＣ上での測定は、周波数間測定よりも高い優先度を有し得る
●  ＤＭＴＣオケージョンにおいて実施されるＳＣＣ上での測定は、ＤＭＴＣオケージョンにおける周波数間測定よりも高い優先度を有し得る
●  ＲＭＴＣオケージョンにおいて実施されるＳＣＣ上での測定は、ＤＭＴＣオケージョンにおける周波数間測定と同じ優先度、またはそれよりも低い優先度を有し得る
●  ＲＭＴＣオケージョンにおいて実施されるＳＣＣ上での測定は、ＤＭＴＣオケージョンにおける周波数間測定と同じ優先度、またはそれよりも高い優先度を有し得る
●  ＲＭＴＣオケージョンにおいて実施されるＳＣＣ上での測定は、ＤＭＴＣオケージョンにおける周波数間測定よりも低い優先度を有し得る
●  ＲＭＴＣオケージョンにおいて実施されるＳＣＣ上での測定は、ＲＭＴＣオケージョンにおける周波数間測定と同じ優先度、またはそれよりも高い優先度を有し得る
【０１０９】
いくつかの実施形態では、優先度を決定することは、第１の無線測定の優先度を決定することをさらに含み得る。一例では、第２の測定がより低い優先度を有する場合、第１の測定は、第２の測定に対してより高い相対的優先度を有し得る。別の例では、第１の測定優先度は、それ自体の参照優先度に対して、たとえば、第２の測定が並行して設定されないときに使用される優先度と比較して、変化させられ得る。
【０１１０】
ステップ４２０において、無線デバイスは、（１つまたは複数の）決定された優先度に基づいて第１の測定および第２の測定のうちの少なくとも１つを実施する。たとえば、無線デバイス１１０は、決定された優先度に基づいて第１の測定を実施し得る。
【０１１１】
いくつかの実施形態では、第１の測定および第２の測定のうちの少なくとも１つを実施することは、第１の測定および／または第２の測定に関連する１つまたは複数の性能メトリック／ターゲット／要件を決定することをさらに含み得る。例示的な性能メトリック／ターゲット／特性は、測定時間と、測定時間期間と、測定精度と、とられた／報告されたサンプルの数と、測定報告時間とを含む。
【０１１２】
（１つまたは複数の）優先度に基づいて第１の無線測定および／または第２の無線測定を実施することは、たとえば、以下を含み得る。
●  すべてまたはいくつかの測定オケージョンにおけるより優先度の低い測定を中止し／延期し／遅延させ、（たとえば、少なくとも、重複する第１のリソースおよび第２のリソースにおける）より優先度の高い測定を実施すること
●  より低い優先度をもつ測定を実施することは、より緩和された性能特性／ターゲット／要件で実施することを含み得る（たとえば、第１の測定と第２の測定とが並行して設定されないとき、第１の参照要件と第２の参照要件とが、それぞれ、満たされ得、第１の測定と第２の測定とが並行して設定されるとき、より低い優先度は、対応する参照要件と比較してより長い測定期間が必要とされることを意味し得る）
〇  さらなる一例では、緩和された要件は、（重複による）より少数のサンプルおよび／またはより長い測定時間を含み得る
●  より低い優先度をもつ第２の測定は、同じ（参照）精度要件を満たしながら、より長い測定時間を必要とし得、（より高い優先度をもつ）第１の測定は、（たとえば、緩和されていない）参照測定時間内に測定を実施することを必要とされ得る。
●  ＣＡおよび周波数間測定がＦＳ３に従うＥ−ＵＴＲＡ動作を伴うキャリア上で設定され、ＵＥがそのような周波数間測定を実施するために測定ギャップを必要とし、設定された測定ギャップがＦＳ３の下で動作するアクティブ化されたＳＣＣ上のＤＭＴＣオケージョンと重複するとき、追加のセル識別遅延が予想され得る。ＵＥは、すべての測定ギャップが、アクティブ化されたＳＣＣ上のＤＭＴＣオケージョンと重複するとは限らないとすれば、周波数間測定を実施することが可能であるものとする。
●  ＣＡおよび周波数間測定がＦＳ３に従うＥ−ＵＴＲＡ動作を伴うキャリア上で設定され、ＵＥがそのような周波数間測定を実施するために測定ギャップを必要とし、設定された測定ギャップがＦＳ３の下で動作する設定されたＳＣＣ上のＤＭＴＣオケージョンと重複するとき、追加のセル識別遅延が予想され得る。ＵＥは、すべての測定ギャップが、設定されたＳＣＣ上のＤＭＴＣオケージョンと重複するとは限らないとすれば、周波数間測定を実施することが可能であるものとする。
●  ＤＭＴＣ周期性が第１のしきい値を上回り、および／または第２のしきい値を下回るとき、より優先度の低い測定についての追加の遅延が周期性に応じて予想され得る。
●  より優先度の低い測定は、より緩和された要件で実施され得、より優先度の高い測定は、あまり緩和されていない要件（ただし、依然として緩和されている）で実施され得る。
【０１１３】
第１の時間リソースと第２の時間リソースとが重複するときに同じ優先度をもつ測定を実施することは、第１の測定と第２の測定の両方についての緩和された要件を満たしながら測定を実施することを含み得る。参照と比較して緩和された要件は、たとえば、以下のうちのいずれか１つまたは複数を含み得る。
●  より悪い精度、または
●  同じ精度およびより長い測定期間、または
●  ｋ＊Ｔｒｅｆとして規定されたより長い測定期間、ここで、ｋはスケーリングファクタである（スケーリングファクタは、たとえば、周波数間キャリアの数、ＣＣまたはＳＣＣまたはＦＳ３  ＳＣＣの数、アクティブ化されたＣＣの数などに依存し得る）、測定周期性（たとえば、Ｔ＜しきい値またはＴ１：Ｔ２＜しきい値またはＴ１：Ｔ２＞しきい値である場合、ｋ＝１）。スケーリングファクタｋの最大限界もあり得る（たとえば、ｋ≦２またはｋ≦３またはｋ≦ｆ（Ｎｃｃ，Ｎｉｎｔｅｒ）、ここで、ｆは、ｓｕｍ、ｍｉｎ、ｍａｘ、ａｖｅｒａｇｅなどであり得、ＮｃｃはＣＣの数であり得、Ｎｉｎｔｅｒは周波数間キャリアの数であり得る）。
【０１１４】
ステップ４２２において、無線デバイス１１０などの無線デバイスは、第１の測定および／または第２の測定の結果を、別のノード（たとえば、ネットワークノード、ＢＳ、測位ノード、別のＵＥ）に送り、ならびに／あるいは、その結果を１つまたは複数の無線ノードの動作タスクのために使用する。
【０１１５】
動作タスクのいくつかの例は、ＲＲＭ、ＭＤＴ、ＳＯＮ、測位、モビリティ、セル変更またはハンドオーバ、（たとえば、それ自体またはネイバーセルの）システム情報を読み取ること、およびその結果を将来の使用のために（たとえば、データベースに）ロギングまたは保存することを含む。
【０１１６】
図４に示されている方法４００に対して修正、追加、または省略が行われ得る。さらに、方法４００における１つまたは複数のステップは、並行してまたは任意の好適な順序で実施され得る。
【０１１７】
図５は、いくつかの実施形態による、ネットワークノードにおける例示的な方法の流れ図である。特定の実施形態では、方法５００の１つまたは複数のステップは、図３を参照しながら説明された無線ネットワーク１００の構成要素によって実施され得る。
【０１１８】
方法５００はステップ５１２において開始し、ここで、ネットワークノードは、測定ギャップを用いてまたは用いずに周波数間無線測定を実施する無線デバイスの能力を取得する。たとえば、ネットワークノード１２０は、測定ギャップを用いずに第２の無線測定を実施する無線デバイス１１０の能力、または無線デバイス１１０の、測定ギャップについての必要を取得し得る。
【０１１９】
取得することは、たとえば、無線ノード（セクション５．２におけるステップ０も参照）からまたは別のノード（たとえば、そのサービングＢＳ）から受信されたメッセージまたは指示、履歴、ＵＥ挙動を観測することなどに基づき得る。
【０１２０】
ステップ５１４において、ネットワークノード１２０などのネットワークノードは、第１の測定に対する第２の測定の優先度を決定する。優先度は、時間リソースの第１のセットと時間リソースの第２のセットとの間の重複量に基づき得る。一例では、優先度は、図４に関して説明されたルールに基づいて決定され得る。決定することは、それぞれ、第１の測定に関連する時間リソースの第１のセットと第２の測定に関連する時間リソースの第２のセットとを取得することをも含み得る（図４、ステップ４１４〜ステップ４１６に関して説明された例参照）。
【０１２１】
ステップ５１６において、ネットワークノード１２０などのネットワークノードは、決定された優先度に基づいて様々な行為を実施する。例は、以下を含む。
●  第１の測定および／または第２の測定に関連する１つまたは複数の性能メトリック／ターゲット／要件を決定すること、たとえば図４の説明参照。
●  測定結果を受信するために、第１の測定および／または第２の測定に関連する決定された１つまたは複数の性能メトリック／ターゲット／要件を使用すること。
●  第１の測定設定および／または第２の測定設定を適応させること。
●  ｆ１上でＤＭＴＣ設定を適応させること。
●  ｆ２上でＤＭＴＣ設定を適応させること。
●  ｆ１上でＲＭＴＣ設定を適応させること。
●  ｆ２上でＲＭＴＣ設定を適応させること。
●  測定報告設定（たとえば、報告周期性）を適応させること。
●  ネットワークノードにおいて受信することを適応させること（たとえば、適応された報告間隔、緩和された測定時間などに適応させること）。
●  上記のこと（たとえば、適応されたＤＭＴＣ設定または測定報告設定）に従って適応された少なくとも１つパラメータを無線ノードに送ること。
【０１２２】
適応の例は、たとえば、以下を含み得る。
●  以下の間の重複を回避すること／低減すること／最小限に抑えること。
〇  ｆ１上のＤＭＴＣオケージョンまたはＲＭＴＣオケージョンまたは測定サイクルと、
〇  ｆ２についての測定ギャップ、ｆ２上のＤＭＴＣオケージョンおよび／またはｆ２上のＲＭＴＣオケージョン
●  重複による中止されたより優先度の低い測定または測定サンプルの数またはその確率を回避すること／低減すること／最小限に抑えること
【０１２３】
適応は、たとえば、以下のうちのいずれか１つまたは複数をさらに含み得る。
●  （より優先度の低い測定のためのより少数のオケージョンを補償するために）測定帯域幅を増加させること
●  より多くの測定オケージョンを可能にして、失われたオケージョンを補償するために、周期性を増加させること、または、より優先度の低い測定（たとえば、測定オケージョン、ＤＭＴＣ、またはＲＭＴＣ）間の間隔を低減すること
●  測定ギャップ間の時間間隔または時間期間を増加させること
●  第１の測定と第２の測定とを並行して設定することを回避すること、たとえば、ｆ１上での第１の測定が行われるときまで、ｆ２上での周波数間測定を延期すること／遅延させること
●  性能ターゲット／メトリック／要件を適応させること、たとえば、無線ノードが、第１の測定と第２の測定とが並行して設定されるとき、より優先度の低い測定についてのより緩和された要件を満たすことを予想すること
【０１２４】
図５に示されている方法５００に対して修正、追加、または省略が行われ得る。さらに、方法５００における１つまたは複数のステップは、並行してまたは任意の好適な順序で実施され得る。
【０１２５】
図６Ａは、無線デバイスの例示的な実施形態を示すブロック図である。無線デバイスは、図３に示されている無線デバイス１１０の一例である。特定の実施形態では、無線デバイスは、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能である。ｆ１およびｆ２のうちの少なくとも１つはフレキシブルフレーム構造の下で動作している。無線デバイスは、周波数内無線測定に関連する時間リソースの第１のセットを取得することと、周波数間無線測定に関連する時間リソースの第２のセットを取得することと、時間リソースの第１のセットと時間リソースの第２のセットとの間の重複量に基づいて、周波数内測定に対する周波数間測定の優先度を決定することと、決定された優先度を使用して周波数内測定および周波数間測定のうちの少なくとも１つを実施することとが可能である。
【０１２６】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、ＮＢ−ＩｏＴデバイス、または無線通信を行うことができる任意の他のデバイスを含む。無線デバイスは、トランシーバ６１０と、処理回路６２０と、メモリ６３０とを含む。いくつかの実施形態では、トランシーバ６１０は、（たとえば、アンテナを介して）無線信号を無線ネットワークノード１２０に送信すること、および無線信号を無線ネットワークノード１２０から受信することを容易にし、処理回路６２０は、無線デバイスによって与えられるものとして本明細書で説明された機能性の一部または全部を与えるための命令を実行し、メモリ６３０は、処理回路６２０によって実行される命令を記憶する。
【０１２７】
処理回路６２０は、命令を実行し、無線デバイスの説明される機能の一部または全部を実施するようにデータを操作するための、１つまたは複数の集積回路またはモジュールにおいて実装されたハードウェアとソフトウェアの任意の好適な組合せを含む。いくつかの実施形態では、処理回路６２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路６２０は、無線デバイス１１０の説明される機能の一部または全部を実施するように設定されたアナログおよび／またはデジタル回路を含み得る。たとえば、処理回路６２０は、抵抗器、キャパシタ、インダクタ、トランジスタ、ダイオード、および／または任意の他の好適な回路構成要素を含み得る。
【０１２８】
メモリ６３０は、概して、コンピュータ実行可能コードおよびデータを記憶するように動作可能である。メモリ６３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１２９】
特定の実施形態では、トランシーバ６１０と通信している処理回路６２０は、無線ネットワークノード１２０または他の無線デバイス１１０と無線信号を通信する。特定の実施形態では、トランシーバ６１０と通信している処理回路６２０は、１つまたは複数のネットワークノード１２０との送信のためにタイミング調整遅延を適応させ得る。無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を与えることを担当する（図６Ａに示されている構成要素以外の）追加の構成要素を含み得る。
【０１３０】
図６Ｂは、無線デバイス１１０の例示的な構成要素を示すブロック図である。構成要素は、指示モジュール６５０と、取得モジュール６５２と、決定モジュール６５４と、測定モジュール６５６とを含み得る。
【０１３１】
指示モジュール６５０は、無線デバイス１１０の取得機能を実施し得る。たとえば、指示モジュール６５０は、図４中のステップ４１２の指示機能を実施し得る。いくつかの実施形態では、指示モジュール６５０は、プロセッサ６２０を含むか、またはプロセッサ６２０中に含まれ得る。特定の実施形態では、指示モジュール６５０は、取得モジュール６５２、決定モジュール６５４、および測定モジュール６５６と通信し得る。
【０１３２】
取得モジュール６５２は、無線デバイス１１０の取得機能を実施し得る。たとえば、取得モジュール６５２は、図４中のステップ４１４およびステップ４１６の取得機能を実施し得る。いくつかの実施形態では、取得モジュール６５２は、プロセッサ６２０を含むか、またはプロセッサ６２０中に含まれ得る。特定の実施形態では、取得モジュール６５２は、指示モジュール６５０、決定モジュール６５４、および測定モジュール６５６と通信し得る。
【０１３３】
決定モジュール６５４は、無線デバイス１１０の決定機能を実施し得る。たとえば、決定モジュール６５４は、図４中のステップ４１８の決定機能を実施し得る。いくつかの実施形態では、決定モジュール６５４は、プロセッサ６２０を含むか、またはプロセッサ６２０中に含まれ得る。特定の実施形態では、決定モジュール６５４は、指示モジュール６５０、取得モジュール６５２、および測定モジュール６５６と通信し得る。
【０１３４】
測定モジュール６５６は、無線デバイス１１０の測定機能を実施し得る。たとえば、測定モジュール６５６は、図４中のステップ４２０の測定機能を実施し得る。いくつかの実施形態では、測定モジュール６５６は、プロセッサ６２０を含むか、またはプロセッサ６２０中に含まれ得る。特定の実施形態では、測定モジュール６５６は、指示モジュール６５０、取得モジュール６５２、および決定モジュール６５４と通信し得る。
【０１３５】
図７Ａは、ネットワークノードの例示的な実施形態を示すブロック図である。ネットワークノードは、図３に示されているネットワークノード１２０の一例である。特定の実施形態では、ネットワークノードは、時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能である。ｆ１およびｆ２のうちの少なくとも１つはフレキシブルフレーム構造の下で動作している。ネットワークノードは、時間リソースの第１のセットと時間リソースの第２のセットとの間の重複量に基づいて、周波数内測定に対する周波数間測定の優先度を決定することと、決定された優先度を使用して測定設定を実施することとを行うことがさらに可能である。
【０１３６】
ネットワークノード１２０は、ｅノードＢ、ノードＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、あるいは他の無線アクセスノードであり得る。ネットワークノード１２０は、少なくとも１つのトランシーバ７１０と、処理回路７２０と、少なくとも１つのメモリ７３０と、少なくとも１つのネットワークインターフェース７４０とを含む。トランシーバ７１０は、（たとえば、アンテナを介して）無線信号を無線デバイス１１０などの無線デバイスに送信すること、および無線信号を無線デバイス１１０などの無線デバイスから受信することを容易にし、処理回路７２０は、ネットワークノード１２０によって与えられるものとして上記で説明された機能性の一部または全部を与えるための命令を実行し、メモリ７３０は、処理回路７２０によって実行される命令を記憶し、ネットワークインターフェース７４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路７２０およびメモリ７３０は、上記の図６Ａの処理回路６２０およびメモリ６３０に関して説明されたのと同じタイプのものであり得る。
【０１３７】
いくつかの実施形態では、ネットワークインターフェース７４０は、処理回路７２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース７４０は、ネットワークを通して通信するために、適切なハードウェア（たとえば、ポート、モデム、ネットワークインターフェースカードなど）と、プロトコル変換ケイパビリティおよびデータ処理ケイパビリティを含むソフトウェアとを含む。
【０１３８】
特定の実施形態では、トランシーバ７１０と通信している処理回路７２０は、他のネットワークノード１２０とともにおよび／または無線デバイス１１０とともにタイミング調整遅延パラメータを適応させ得る。
【０１３９】
ネットワークノード１２０の他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を与えることを担当する（図７Ａに示されている構成要素以外の）追加の構成要素を含む。様々な異なるタイプの無線ネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１４０】
図７Ｂは、ネットワークノード１２０の例示的な構成要素を示すブロック図である。構成要素は、取得モジュール７５０と、決定モジュール７５２と、設定モジュール７５４とを含み得る。
【０１４１】
取得モジュール７５０は、ネットワークノード１２０の取得機能を実施し得る。たとえば、取得モジュール７５０は、図５中のステップ５１２の取得機能を実施し得る。いくつかの実施形態では、取得モジュール７５０は、プロセッサ７２０を含むか、またはプロセッサ７２０中に含まれ得る。特定の実施形態では、取得モジュール７５０は、決定モジュール７５２および設定モジュール７５４と通信し得る。
【０１４２】
決定モジュール７５２は、ネットワークノード１２０の決定機能を実施し得る。たとえば、決定モジュール７５２は、図５中のステップ５１４の決定機能を実施し得る。いくつかの実施形態では、決定モジュール７５２は、プロセッサ７２０を含むか、またはプロセッサ７２０中に含まれ得る。特定の実施形態では、決定モジュール７５２は、設定モジュール７５４および取得モジュール７５０と通信し得る。
【０１４３】
設定モジュール７５４は、ネットワークノード１２０の設定機能を実施し得る。たとえば、設定モジュール７５４は、図５中のステップ５１６の設定機能を実施し得る。いくつかの実施形態では、設定モジュール７５４は、プロセッサ７２０を含むか、またはプロセッサ７２０中に含まれ得る。特定の実施形態では、設定モジュール７５４は、取得モジュール７５０および決定モジュール７５２と通信し得る。
【０１４４】
本開示のいくつかの実施形態は、１つまたは複数の技術的利点を与え得る。いくつかの実施形態は、これらの利点の、一部から恩恵を受けるか、いずれからも恩恵を受けないか、または全部から恩恵を受け得る。他の技術的利点が当業者によって容易に確かめられ得る。いくつかの実施形態の特定の利点は、ＵＥが周波数間測定を実施し、要件を満たし得ることである。
【０１４５】
本開示はいくつかの実施形態に関して説明されたが、実施形態の改変および置換は当業者に明らかである。いくつかの実施形態はいくつかの無線アクセス技術に関して説明されたが、ｌｏｎｇ  ｔｅｒｍ  ｅｖｏｌｕｔｉｏｎ（ＬＴＥ）、ＬＴＥアドバンスト、ＮＲ、ＵＭＴＳ、ＨＳＰＡ、ＧＳＭ、ｃｄｍａ２０００、ＷｉＭａｘ、ＷｉＦｉなど、任意の好適な無線アクセス技術（ＲＡＴ）または無線アクセス技術の組合せが使用され得る。したがって、実施形態の上記の説明は、本開示を制約しない。他の変更、置換、および改変が、本開示の趣旨および範囲から逸脱することなく可能である。
【０１４６】
以下の例は、本明細書で説明された実施形態のいくつかの態様が固有の通信規格のフレームワーク内にどのように実装され得るかの例である。特に、以下の例は、本明細書で説明された実施形態が３ＧＰＰ  ＲＡＮ規格のフレームワーク内にどのように実装され得るかの非限定的な例を与える。例によって説明された変更は、実施形態のいくつかの態様が特定の規格においてどのように実装され得るかを示すことを意図するにすぎない。しかしながら、実施形態はまた、３ＧＰＰ仕様と他の仕様または規格の両方において、他の好適な様式で実装され得る。以下は、３ＧＰＰ規格の例示的なセクションである。
【０１４７】
Ｅ−ＵＴＲＡＮ  ＦＤＤ−  ＤＲＸが使用されないときのＦＳ３周波数間測定。
測定ギャップがスケジュールされるか、または、ＵＥが、ギャップなしにそのような測定を行うケイパビリティをサポートするとき、ＵＥは、セル識別時間Ｔｉｄｅｎｔｉｆｙ＿ｉｎｔｅｒ＿ＦＳ３内に新しい検出可能なＦＳ３周波数間セルを識別することが可能であるものとし、これは、セルの検出、およびさらに、ＤＲＸが使用されないときにＴｍｅａｓｕｒｅ＿ｉｎｔｅｒ＿ＦＳ３＿ＣＲＳの測定期間内に単一の測定を実施することを含むものとし、ここで、
Ｔｉｄｅｎｔｉｆｙ＿ｉｎｔｅｒ＿ＦＳ３は、表１に示されているように、セル識別のための周波数間期間であり、
Ｔｍｅａｓｕｒｅ＿ｉｎｔｅｒ＿ＦＳ３＿ＣＲＳは、表２に示されているように、測定のための周波数間期間であり、
ＴＤＭＴＣ＿ｐｅｒｉｏｄｉｃｉｔｙは、上位レイヤの発見信号測定タイミング設定周期性であり、
Ｎは、送信より前にチャネルアセスメントを受ける、ＦＳ３の下で動作するキャリアの数であり、
Ｌは、測定されたセルからの必要な無線信号の不在により、測定ギャップ中のＵＥにおけるセル識別のための時間中に利用可能でない、設定された発見信号オケージョンの数であり、
Ｍは、測定されたセルからの必要な無線信号の不在により、測定ギャップ中のＵＥにおける測定のためのＴｍｅａｓｕｒｅ＿ｉｎｔｅｒ＿ＦＳ３＿ＣＲＳ中に利用可能でない、設定された発見信号オケージョンの数である。
上位レイヤフィルタ処理が使用される場合、追加のセル識別遅延が予想され得る。
【０１４８】
このセクション中の要件は、ＬおよびＭが、周波数間セル識別期間Ｔｉｄｅｎｔｉｆｙ＿ｉｎｔｅｒ＿ＦＳ３が＊Ｎｆｒｅｑ＊Ｍａｘ｛ＴＤＭＴＣ＿ｐｅｒｉｏｄｉｃｉｔｙ，ＭＧＲＰ｝を超えず、測定のための周波数間期間Ｔｍｅａｓｕｒｅ＿ｉｎｔｅｒ＿ＦＳ３＿ＣＲＳが［６０］＊Ｎｆｒｅｑ＊Ｍａｘ｛ＴＤＭＴＣ＿ｐｅｒｉｏｄｉｃｉｔｙ，ＭＧＲＰ｝を超えないようなものであるとすれば、適用される。
【０１４９】
ＣＡおよび周波数間測定がＦＳ３に従うＥ−ＵＴＲＡ動作を伴うキャリア上で設定され、ＵＥがそのような周波数間測定を実施するために測定ギャップを必要とし、設定された測定ギャップがＦＳ３の下で動作するアクティブ化されたＳＣＣ上のＤＭＴＣオケージョンと重複するとき、追加のセル識別遅延が予想され得る。ＵＥは、すべての測定ギャップが、アクティブ化されたＳＣＣ上のＤＭＴＣオケージョンと重複するとは限らないとすれば、周波数間測定を実施することが可能であるものとする。
2020502888.tif 000003
2020502888.tif 000004
【０１５０】
セルは、Ｔｉｄｅｎｔｉｆｙ＿ｉｎｔｅｒ＿ＦＳ３中に利用可能である発見信号オケージョン中に、以下の条件、すなわち、（ａ）対応する帯域についてＲＳＲＰ関連副条件が履行される、（ｂ）対応する帯域についてＲＳＲＱ関連副条件が履行される、および（ｃ）ＳＣＨ  Ｅｓ／Ｉｏｔが表１に従っている、が満たされるとき、検出可能であると考えられるものとする。
【０１５１】
測定ギャップがＦＳ３周波数間測定のためにスケジュールされるか、または、ＵＥが、ギャップなしにそのような測定を行うケイパビリティをサポートするとき、ＵＥ物理レイヤは、表２によって与えられた測定精度と測定期間とで、上位レイヤにＲＳＲＰおよびＲＳＲＱ測定を報告することが可能であるものとする。
【０１５２】
ＵＥは、最高３つのＦＳ３周波数間についてＦＳ３周波数間ごとの少なくとも３つの識別された周波数間セルのＲＳＲＰおよびＲＳＲＱ測定を実施することが可能であるものとし、ＵＥ物理レイヤは、ＤＲＸが使用中でなく、測定ギャップがスケジュールされるか、または、ＵＥが、ギャップなしにそのような測定を行うケイパビリティをサポートするかのいずれかであるとき、上位レイヤにＲＳＲＰおよびＲＳＲＱ測定を報告することが可能であるものとする。
【０１５３】
ＲＳＳＩ測定−  Ｅ−ＵＴＲＡＮ周波数内測定
ＵＥ物理レイヤは、フレーム構造タイプ３の下で動作する１つまたは複数のサービングキャリア上でのＲＳＳＩ測定を、（１つまたは複数の）キャリアが上位レイヤによって指示された場合、実施することと、上位レイヤにＲＳＳＩ測定を報告することとが可能であるものとする。ＵＥ物理レイヤは、設定されたＲＳＳＩ測定タイミング設定周期性を伴って生じる各設定されたＲＳＳＩ測定持続時間内に、各ＯＦＤＭシンボルについての単一のＲＳＳＩサンプルを上位レイヤに与えるものとする。ＲＳＳＩ測定期間は、ｍａｘ（ｒｅｐｏｒｔＩｎｔｅｒｖａｌ，ｒｍｔｃ−Ｐｅｒｉｏｄ）に対応し、ここで、ｒｅｐｏｒｔＩｎｔｅｒｖａｌおよびｒｍｔｃ−Ｐｅｒｉｏｄは、上位レイヤによって、ＲＳＳＩ測定のために設定される。
【０１５４】
周波数内ＲＳＳＩ測定が設定され、周波数間測定がＦＳ３に従うＥ−ＵＴＲＡ動作を伴うキャリア上で設定され、ＵＥがそのような周波数間測定を実施するために測定ギャップを必要とし、設定された測定ギャップがＦＳ３の下で動作するアクティブ化されたＳＣＣ上のＲＭＴＣオケージョンと重複するとき、追加のＲＳＳＩ測定期間遅延または報告遅延が予想され得る。ＵＥは、少なくとも、すべてのＲＭＴＣオケージョンが測定ギャップと重複するとは限らないとき、ＲＳＳＩを報告することが可能であるものとする。
【０１５５】
チャネル占有測定−  Ｅ−ＵＴＲＡＮ周波数内チャネル占有測定
ＵＥは、物理レイヤによって与えられたＲＳＳＩサンプルに基づいて、上位レイヤによって指示された１つまたは複数のサービングキャリア周波数上でのチャネル占有を推定することが可能であるものとする。チャネル占有測定期間は、ｍａｘ（ｒｅｐｏｒｔＩｎｔｅｒｖａｌ，ｒｍｔｃ−Ｐｅｒｉｏｄ）に対応し、ここで、ｒｅｐｏｒｔＩｎｔｅｒｖａｌおよびｒｍｔｃ−Ｐｅｒｉｏｄは、上位レイヤによって、チャネル占有測定のために設定される。
【０１５６】
周波数内チャネル占有測定が設定され、周波数間測定がＦＳ３に従うＥ−ＵＴＲＡ動作を伴うキャリア上で設定され、ＵＥがそのような周波数間測定を実施するために測定ギャップを必要とし、設定された測定ギャップがＦＳ３の下で動作するアクティブ化されたＳＣＣ上のＲＭＴＣオケージョンと重複するとき、追加のチャネル占有測定期間遅延または報告遅延が予想され得る。ＵＥは、少なくとも、すべてのＲＭＴＣオケージョンが測定ギャップと重複するとは限らないとき、チャネル占有を報告することが可能であるものとする。
【０１５７】
略語：
３ＧＰＰ  第３世代パートナーシッププロジェクト
ＣＡ  キャリアアグリゲーション
ＣＣ  コンポーネントキャリア
ＣＣＡ  クリアチャネルアセスメント
ＣＲＳ  共通参照信号
Ｄ２Ｄ  デバイスツーデバイス
ＤＲＳ  発見参照信号
ＤＲＸ  間欠受信
ｅＮＢ  エボルブドノードＢ
ｅノードＢ  エボルブドノードＢ
Ｅ−ＵＴＲＡ  拡張ＵＴＲＡ
ＦＤＤ  周波数分割複信
ＦＦＴ  高速フーリエ変換
ＦＳ３  フレーム構造タイプ３
ＨＳＰＡ  高速パケットアクセス
ＬＡＡ  ライセンス支援型アクセス
ＬＢＴ  リッスンビフォアトーク
ＬＴＥ  Ｌｏｎｇ−Ｔｅｒｍ  Ｅｖｏｌｕｔｉｏｎ
Ｍ２Ｍ  マシンツーマシン
ＭＢＭＳ  マルチメディアブロードキャストマルチキャストサービス
ＭＧＲＰ  測定ギャップ反復期間
ＭＴＣ  マシン型通信
ＮＲ  新しい無線
ＯＦＤＭ  直交周波数分割多重
ＰＣＣ  プライマリコンポーネントキャリア
ＰＣｅｌｌ  プライマリセル
ＰＤＣＣＨ  物理ダウンリンク制御チャネル
ＰＳＣ  プライマリサービングセル
ＰＳＳ  プライマリ同期信号
ＲＡＴ  無線アクセス技術
ＲＢ  リソースブロック
ＲＦ  無線周波数
ＲＬＭ  無線リンク監視
ＲＲＣ  無線リソース制御
ＲＳＲＰ  参照信号受信電力
ＲＳＲＱ  参照信号受信品質
ＳＣＣ  セカンダリコンポーネントキャリア
ＳＣｅｌｌ  セカンダリセル
ＳＦＮ  単一周波数ネットワーク／システムフレーム番号
ＳＯＮ  自己最適化ネットワーク
ＳＳＣ  セカンダリサービングセル
ＴＤＤ  時分割複信
ＴＰ  送信ポイント
ＴＲＰ  送信受信ポイント
ＴＴＩ  送信時間間隔
ＵＥ  ユーザ機器
ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ  ＵＭＴＳ地上波無線アクセス
【図１】
2020502888.tif 000005
【図２】
2020502888.tif 000006
【図３】
2020502888.tif 000007
【図４】
2020502888.tif 000008
【図５】
2020502888.tif 000009
【図６Ａ】
2020502888.tif 000010
【図６Ｂ】
2020502888.tif 000011
【図７Ａ】
2020502888.tif 000012
【図７Ｂ】
2020502888.tif 000013
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施する、無線デバイスにおける方法であって、ｆ１およびｆ２のうちの少なくとも１つがフレキシブルフレーム構造の下で動作しており、前記方法が、
前記周波数内無線測定に関連する時間リソースの前記第１のセットを取得すること（４１４）と、
前記周波数間無線測定に関連する時間リソースの前記第２のセットを取得すること（４１６）と、
時間リソースの前記第１のセットと時間リソースの前記第２のセットとの間の重複量に基づいて、前記周波数内測定に対する前記周波数間測定の優先度を決定すること（４１８）と、
前記決定された優先度を使用して前記周波数内測定および前記周波数間測定のうちの少なくとも１つを実施すること（４２０）と
を含む、方法。
【請求項２】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施することが可能な無線デバイス（１１０）であって、ｆ１およびｆ２のうちの少なくとも１つがフレキシブルフレーム構造の下で動作しており、前記無線デバイスが、
前記周波数内無線測定に関連する時間リソースの前記第１のセットを取得することと、
前記周波数間無線測定に関連する時間リソースの前記第２のセットを取得することと、
時間リソースの前記第１のセットと時間リソースの前記第２のセットとの間の重複量に基づいて、前記周波数内測定に対する前記周波数間測定の優先度を決定することと、
前記決定された優先度を使用して前記周波数内測定および前記周波数間測定のうちの少なくとも１つを実施することと
を行うように動作可能な処理回路（６２０）を備える、無線デバイス（１１０）。
【請求項３】
前記処理回路が、前記周波数内測定および前記周波数間測定のうちの少なくとも１つの結果を、別の無線デバイス（１１０）またはネットワークノード（１２０）に送るようにさらに動作可能である、請求項２に記載の無線デバイス。
【請求項４】
前記処理回路は、前記無線デバイスが前記周波数間無線測定を実施するために測定ギャップを使用するかどうかを別の無線デバイス（１１０）またはネットワークノード（１２０）に指示するようにさらに動作可能である、請求項２または３に記載の無線デバイス。
【請求項５】
時間リソースの前記第２のセットが測定ギャップを含む、請求項２から４のいずれか一項に記載の無線デバイス。
【請求項６】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連する、請求項２から５のいずれか一項に記載の無線デバイス。
【請求項７】
前記処理回路は、前記重複量がしきい値を下回るとき、第１の優先度を決定することと、前記重複量が前記しきい値に等しいかまたはそれよりも大きいとき、第２の優先度を決定することとによって前記優先度を決定するように動作可能である、請求項２から６のいずれか一項に記載の無線デバイス。
【請求項８】
前記処理回路は、時間リソースの前記第１のセットと時間リソースの前記第２のセットとの間の重複がないとき、前記周波数内測定および前記周波数間測定のうちの少なくとも１つを実施するための時間量を決定するために第１の機能を使用することと、時間リソースの前記第２のセットが時間リソースの前記第１のセットと少なくとも部分的に重複するとき、前記時間量を決定するために第２の機能を使用することとによって前記優先度を決定するように動作可能である、請求項２から６のいずれか一項に記載の無線デバイス。
【請求項９】
前記処理回路が、重複する時間リソースにおける、より優先度の低い測定を実施しないことによって、前記決定された優先度を使用して前記周波数内測定および前記周波数間測定のうちの少なくとも１つを実施するように動作可能である、請求項２から８のいずれか一項に記載の無線デバイス。
【請求項１０】
前記処理回路が、前記周波数内測定および前記周波数間測定のうちの少なくとも１つを実施するための時間量をスケーリングすることによって、前記決定された優先度を使用して前記周波数内測定および前記周波数間測定のうちの少なくとも１つを実施するように動作可能である、請求項２から９のいずれか一項に記載の無線デバイス。
【請求項１１】
前記時間量をスケーリングすることが、前記より優先度の低い測定を実施するための時間量を延長することを含む、請求項１０に記載の無線デバイス。
【請求項１２】
前記時間量をスケーリングすることが、時間リソースの前記第１のセットと時間リソースの前記第２のセットとの間の前記重複量に応じて異なるスケーリングファクタを用いてスケーリングすることを含む、請求項１０に記載の無線デバイス。
【請求項１３】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項１０に記載の無線デバイス。
【請求項１４】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項２に記載の無線デバイス。
【請求項１５】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイスとともにネットワークにおいて動作することが可能なネットワークノードにおける方法であって、ｆ１およびｆ２のうちの少なくとも１つがフレキシブルフレーム構造の下で動作しており、前記方法が、
時間リソースの前記第１のセットと時間リソースの前記第２のセットとの間の重複量に基づいて、前記周波数内測定に対する前記周波数間測定の優先度を決定すること（５１４）と、
前記決定された優先度を使用して測定設定を実施すること（５１６）と
を含む、方法。
【請求項１６】
時間リソースの第１のセットにおける少なくとも１つのキャリア周波数ｆ１上での少なくとも１つの周波数内無線測定と、時間リソースの第２のセットにおける少なくとも１つのキャリア周波数ｆ２上での少なくとも１つの周波数間無線測定とを実施するように動作可能な無線デバイス（１１０）とともにネットワークにおいて動作することが可能なネットワークノード（１２０）であって、ｆ１およびｆ２のうちの少なくとも１つがフレキシブルフレーム構造の下で動作しており、前記ネットワークノードが、
時間リソースの前記第１のセットと時間リソースの前記第２のセットとの間の重複量に基づいて、前記周波数内測定に対する前記周波数間測定の優先度を決定することと、
前記決定された優先度を使用して測定設定を実施することと
を行うように動作可能な処理回路（７２０）を備える、ネットワークノード（１２０）。
【請求項１７】
前記処理回路が、測定ギャップを用いてまたは用いずに前記周波数間無線測定を実施する前記無線デバイスの能力を取得するようにさらに動作可能である、請求項１６に記載のネットワークノード。
【請求項１８】
時間リソースの前記第１のセットおよび時間リソースの前記第２のセットのうちの少なくとも１つが、発見参照信号（ＤＲＳ）測定タイミング設定（ＤＭＴＣ）または受信信号強度インジケータ（ＲＳＳＩ）測定タイミング設定（ＲＭＴＣ）に関連し、
前記処理回路が、前記決定された優先度に基づいて前記ＤＭＴＣまたは前記ＲＭＴＣのうちの少なくとも１つを適応させることによって前記測定設定を実施するように動作可能である、請求項１６または１７に記載のネットワークノード。
【請求項１９】
前記処理回路が、前記周波数内測定および前記周波数間測定のうちの少なくとも１つを実施するための時間量をスケーリングすることによって前記測定設定を実施するように動作可能である、請求項１６から１８のいずれか一項に記載のネットワークノード。
【請求項２０】
前記時間量をスケーリングすることが、より優先度の低い測定を実施するための時間量を延長することを含む、請求項１９に記載のネットワークノード。
【請求項２１】
前記時間量をスケーリングすることは、時間リソースの前記第１のセットと時間リソースの前記第２のセットとの間の重複があるとき、周波数内測定期間を延長することと、時間リソースの前記第１のセットと時間リソースの前記第２のセットとの間の重複がないとき、前記周波数内測定期間を延長しないこととを含む、請求項１９に記載のネットワークノード。
【請求項２２】
前記周波数間測定が、測定ギャップにおいて実施される測定、あるいは、前記フレキシブルフレーム構造の下で動作するセカンダリキャリアコンポーネント上でのＤＭＴＣオケージョンまたはＲＭＴＣオケージョンに基づく測定を含む、請求項１６に記載のネットワークノード。
【国際調査報告】
2020502888.tif 000014
2020502888.tif 000015
2020502888.tif 000016